(57)【要約】  ＴＶに有する内部スピーカとオーディオアンプに接続された外部スピーカのユーザによる選択の操作性を改善し、操作の煩わしさを軽減する映像音声視聴システムを提供する。  オーディオアンプ１００Ａの制御部１０６Ａは、オーディオアンプ１００Ａの電源がオンになると、オーディオアンプ１００Ａに接続された外部スピーカ１０５の使用が選択されたと判断し、ＴＶ２００Ａの内部スピーカ２０５を消音状態にするための制御信号を、通信手段３００を介してＴＶ２００Ａの制御部２０６Ａに送信する。逆に、制御部１０６Ａは、オーディオアンプ１００Ａの電源がオフになると、ＴＶ２００Ａの内部スピーカ２０５の使用を選択したと判断し、内部スピーカ２０５の消音状態を解除するための制御信号を、通信手段３００を介してＴＶ２００Ａの制御部２０６Ａに送信する。
2007052625.tif 000002
【特許請求の範囲】
【請求項１】
映像および音声を再生する映像音声再生装置、外部スピーカから音声を出力する音響再生装置、ならびに前記映像音声再生装置および前記音響再生装置の間に接続された通信手段とを備え、複数の音声信号から選択された音声信号を、前記映像音声再生装置の内部スピーカおよび前記音響再生装置の外部スピーカのいずれか一方へ出力する映像音声視聴システムであって、
（ａ）前記映像音声再生装置は、
前記選択された音声信号を入力として前記内部スピーカ（２０５）への出力を制御する第１の音声出力制御部と、
少なくとも前記第１の音声出力制御部を制御する第１の制御部とを備え、
（ｂ）前記音響再生装置は、
前記選択された音声信号を入力として前記外部スピーカへの出力を制御する第２の音声出力制御部と、
少なくとも前記第２の音声出力制御部を制御する第２の制御部とを備え、
（ｃ）前記第１および前記第２の制御部は前記通信手段を介して相互に通信が可能であり、かつ前記第１の制御部は、前記通信手段を介して得られる情報に基づいて前記第１の音声出力制御部を制御する映像音声視聴システム。
【請求項２】
前記第２の制御部は、前記第１の制御部に対し、前記通信手段を介して前記音響再生装置の電源のオンまたはオフの状態に基づいて第１の制御信号を送信し、前記第１の制御部は、受信した前記第１の制御信号に従って前記第１の音声出力制御部を制御する請求項１に記載の映像音声視聴システム。
【請求項３】
前記第１の制御部は、前記第１の制御信号として電源がオンであることを示す信号を受信したときは前記内部スピーカが消音状態となり、電源がオフであることを示す信号を受信したときは前記内部スピーカの消音状態が解除されるよう前記第１の音声出力制御部を制御する請求項２に記載の映像音声視聴システム。
【請求項４】
前記第１の制御部は、前記音響再生装置の電源のオンまたはオフを指示する第２の制御信号を前記第２の制御部に送信し、前記第２の制御部は、受信した前記第２の制御信号に基づいて前記音響再生装置の電源のオンまたはオフを制御すると共に、前記電源のオンまたはオフの状態に基づく第１の制御信号を前記第１の制御部に送信する請求項２に記載の映像音声視聴システム。
【請求項５】
映像信号および音声信号の再生機能を有する第３の装置に備えられた第３の制御部から、前記音響再生装置の電源のオンまたはオフを指示する第３の制御信号を前記第２の制御部に送信し、前記第２の制御部は、受信した前記第３の制御信号に基づいて前記音響再生装置の電源のオンまたはオフを制御すると共に、前記電源のオンまたはオフの状態に基づく第１の制御信号を前記第１の制御部に送信する請求項２に記載の映像音声視聴システム。
【請求項６】
前記第１の制御信号は、Consumer Electronics Control（ＣＥＣ）規格に準拠した信号である請求項２に記載の映像音声視聴システム。
【請求項７】
前記第１の制御部は、前記第２の制御部との間の通信状態を監視しており、通信可能状態では前記内部スピーカが消音状態となるように前記第１の音声出力制御部を制御し、通信不能状態では前記内部スピーカの消音状態が解除されるように前記第１の音声出力制御部を制御する請求項１に記載の映像音声視聴システム。
【請求項８】
複数の音声信号から１つの音声信号を選択する音声入力選択部を更に備えた請求項１に記載の映像音声視聴システム。
【請求項９】
前記音声入力選択部は、前記映像音声再生装置に内蔵された第１の音声入力選択部と、前記音響再生装置に内蔵された第２の音声入力選択部とで構成された請求項８に記載の映像音声視聴システム。
【請求項１０】
前記第１の音声入力選択部から出力された音声信号に必要な処理を施す第１の音声処理部を更に備えた請求項９に記載の映像音声視聴システム。
【請求項１１】
前記第２の音声入力選択部から出力された音声信号に必要な処理を施す第２の音声処理部を更に備えた請求項９に記載の映像音声視聴システム。
【請求項１２】
前記通信手段は、High Definition Multimedia Interface（ＨＤＭＩ）規格に準拠した信号線である請求項１に記載の映像音声視聴システム。
【請求項１３】
前記映像音声再生装置はテレビジョン受像機、前記音響再生装置はオーディオアンプである請求項１に記載の映像音声視聴システム。
【請求項１４】
外部スピーカから音声を出力する音響再生装置と共に映像音声視聴システムを構成し、複数の音声信号から選択された音声信号を、前記音響再生装置の外部スピーカおよび自己の内部スピーカのいずれか一方へ出力する映像音声再生装置であって、
前記選択された音声信号を入力として前記内部スピーカへの出力を制御する音声出力制御部と、
通信手段を介して前記音響再生装置と相互に通信可能であり、かつ少なくとも前記音声出力制御部を制御する制御部とを備え、
前記制御部は、前記通信手段を介して得られる情報に基づいて前記音声出力制御部を制御する映像音声再生装置。
【請求項１５】
前記制御部は、前記通信手段を介して前記音響再生装置から送信される電源のオンまたはオフの状態に基づく制御信号に従って前記音声出力制御部を制御する請求項１４に記載の映像音声再生装置。
【請求項１６】
前記制御部は、電源がオンであることを示す制御信号を受信したときは前記内部スピーカが消音状態となり、電源がオフであることを示す制御信号を受信したときは前記内部スピーカの消音状態が解除されるように前記音声出力制御部を制御する請求項１５に記載の映像音声再生装置。
【請求項１７】
前記制御信号は、Consumer Electronics Control（ＣＥＣ）規格に準拠した信号である請求項１５に記載の映像音声再生装置。
【請求項１８】
複数の音声信号から１つの音声信号を選択する音声入力選択部を更に備えた請求項１４に記載の映像音声再生装置。
【請求項１９】
前記音声入力選択部から出力された音声信号に必要な処理を施す音声処理部を更に備えた請求項１８に記載の映像音声再生装置。
【請求項２０】
前記制御部は前記音響再生装置との通信状態を監視しており、通信可能状態では前記内部スピーカが消音状態となるように前記音声出力制御部を制御し、通信不能状態では前記内部スピーカの消音状態が解除されるように前記音声出力制御部を制御する請求項１４記載の映像音声再生装置。
【請求項２１】
前記通信手段は、High Definition Multimedia Interface（ＨＤＭＩ）規格に準拠した信号線である請求項１４記載の映像音声再生装置。
【請求項２２】
映像および音声を再生する映像音声再生装置と共に映像音声視聴システムを構成し、複数の音声信号から選択された音声信号を、前記映像音声再生装置の内部スピーカおよび自己に接続された外部スピーカのいずれか一方へ出力する音響再生装置であって、
前記選択された音声信号を入力として、前記外部スピーカの音声出力を制御する音声出力制御部と、
前記映像音声再生装置と通信手段を介して相互に通信可能であり、かつ少なくとも前記音声出力制御部を制御する制御部とを備え、
前記制御部は、前記映像音声再生装置の制御部に対して、前記通信手段を介して電源のオンまたはオフの状態に基づく第１の制御信号を送信する音響再生装置。
【請求項２３】
前記制御部は、前記映像音声再生装置から前記通信手段を介して自己の電源のオンまたはオフを指示する制御信号を受信したとき、この制御信号に基づいて前記電源のオンまたはオフを制御する請求項２２に記載の音響再生装置。
【請求項２４】
前記制御部は、前記映像音声視聴システムに接続された、前記映像音声再生装置以外の第３の装置に備えられた第３の制御部から前記通信手段を介して自己の電源のオンまたはオフを指示する第３の制御信号を受信したとき、この第３の制御信号に基づいて前記電源のオンおよびオフを制御する請求項２２に記載の音響再生装置。
【請求項２５】
前記第１の制御信号は、Consumer Electronics Control（ＣＥＣ）規格に準拠した信号である請求項２２に記載の音響再生装置。
【請求項２６】
複数の音声信号から１つの音声信号を選択する音声入力選択部を更に備えた請求項２２に記載の音響再生装置。
【請求項２７】
前記音声入力選択部から出力された音声信号に必要な処理を施す音声処理部を更に備えた請求項２６に記載の音響再生装置。
【請求項２８】
前記通信手段は、High Definition Multimedia Interface（ＨＤＭＩ）規格に準拠した信号線である請求項２２に記載の音響再生装置。
【発明の詳細な説明】
【技術分野】
【０００１】
本発明は、内部スピーカを有するテレビジョン受信機等の映像音声再生装置、および外部スピーカを接続したオーディオアンプ等の音響再生装置を備える映像音声視聴システムに関し、更にＤＶＤプレーヤやＤＶＤレコーダ等のＡＶ機器を備える映像音声視聴システムに関する。
【背景技術】
【０００２】
テレビジョン受信機（以下、「ＴＶ」と称する）にオーディオアンプを接続して自宅で映画館のような臨場感を実現する、一般にホームシアターシステムと呼ばれる映像音声視聴システムが普及しつつある。ユーザはホームシアターシステムのオーディオアンプに接続した外部スピーカおよびＴＶに有する内部スピーカの何れかを選択して、選択されたスピーカから出力される音声を楽しむことが出来る。【０００３】
たとえば、オーディオアンプを使用して迫力のある音響を楽しむ場合には、ユーザは、まず、ＴＶのリモコンを操作して内部スピーカの音量を絞る。次に、ユーザはオーディオアンプのリモコンを操作してオーディオアンプの電源を入れ、外部スピーカの音量を調整する。【０００４】
その後、夜間など、大音量を鳴らすことが許容されない状況になると、ユーザは、外部スピーカからではなく内部スピーカの音声に切り換える必要が生じる。この場合、ユーザはオーディオアンプの電源を切るか外部スピーカの音量を絞ると共に、ＴＶの内部スピーカの音量を調整すると言う動作をしなければならない。【０００５】
上述の映像音声視聴システムでは、オーディオアンプの外部スピーカを使用する場合や、外部スピーカを内部スピーカに切り換える場合には、使用するスピーカに応じて、ユーザはそれぞれのスピーカの音量調整（含む電源操作）を個別に手動で行う必要がある。このような個別の手動操作はユーザにとって面倒で煩わしい作業である。【０００６】
ユーザが切り換え前および切り換え後のスピーカ毎に個別に操作するという煩わしさを解消する技術が提案されている（特許文献１、特許文献２）。具体的には、内部スピーカと外部スピーカとの間で音声出力切り換えが簡単に行えるようにしたＴＶやオーディオアンプが開示されている。つまり、ユーザはリモコン等によるスイッチを用いて、内部スピーカと外部スピーカの何れかを選択切り換えして使用するように構成されている。
【特許文献１】特開平５−１５３５２０号公報
【特許文献２】特開平１０−７９８９６号公報
【発明の開示】
【発明が解決しようとする課題】
【０００７】
上述のリモコンを用いて音声出力させるスピーカを切り換える方法においては、使用するスピーカの選択の操作性は改善される。しかしながら、使用しないアンプの電源操作、あるいはスピーカの音量を絞る操作等の煩わしさは改善されない。【０００８】
また、ＴＶの音声をオーディオアンプの外部スピーカで再生している最中に、オーディオアンプ側で異常が生じて音声出力されないことが生じる。そのような異常の原因としてはＴＶとオーディオアンプを結ぶケーブルが外れたり、オーディオアンプの電源が切れたり、オーディオアンプの内部エラーなどが考えられる。この場合、ユーザの音楽視聴の要望が満たされない。【０００９】
本発明は、従来の映像音声視聴システムが有する上述の問題に鑑みて外部スピーカを使用する際の電源操作や音量調整を含めて、ユーザに要求される個々のスピーカの選択の操作性を改善し、操作の煩わしさを軽減する映像音声視聴システムを提供することを目的とする。
【課題を解決するための手段】
【００１０】
上記目的を達成するため本発明に係る映像音声視聴システムは、映像および音声を再生する映像音声再生装置、外部スピーカから音声を出力する音響再生装置、ならびに前記映像音声再生装置および前記音響再生装置の間に接続された通信手段とを備え、複数の音声信号から選択された音声信号を、前記映像音声再生装置の内部スピーカおよび前記音響再生装置の外部スピーカのいずれか一方へ出力する映像音声視聴システムであって、
（ａ）前記映像音声再生装置は、
前記選択された音声信号を入力として前記内部スピーカ（２０５）への出力を制御する第１の音声出力制御部と、
少なくとも前記第１の音声出力制御部を制御する第１の制御部とを備え、
（ｂ）前記音響再生装置は、
前記選択された音声信号を入力として前記外部スピーカへの出力を制御する第２の音声出力制御部と、
少なくとも前記第２の音声出力制御部を制御する第２の制御部とを備え、
（ｃ）前記第１および前記第２の制御部は前記通信手段を介して相互に通信が可能であり、かつ前記第１の制御部は、前記通信手段を介して得られる情報に基づいて前記第１の音声出力制御部を制御するものである。【００１１】
本発明に係る映像音声視聴システムの前記第２の制御部は、前記第１の制御部に対し、前記通信手段を介して前記音響再生装置の電源のオンまたはオフの状態に基づいて第１の制御信号を送信し、前記第１の制御部は、受信した前記第１の制御信号に従って前記第１の音声出力制御部を制御することが好ましい。
また前記第１の制御部は、前記第１の制御信号として電源がオンであることを示す信号を受信したときは前記内部スピーカが消音状態となり、電源がオフであることを示す信号を受信したときは前記内部スピーカの消音状態が解除されるよう前記第１の音声出力制御部を制御することが好ましい。【００１２】
また前記第１の制御部は、前記音響再生装置の電源のオンまたはオフを指示する第２の制御信号を前記第２の制御部に送信し、前記第２の制御部は、受信した前記第２の制御信号に基づいて前記音響再生装置の電源のオンまたはオフを制御すると共に、前記電源のオンまたはオフの状態に基づく第１の制御信号を前記第１の制御部に送信してもよい。【００１３】
また本発明に係る映像音声視聴システムは、映像信号および音声信号の再生機能を有する第３の装置に備えられた第３の制御部から、前記音響再生装置の電源のオンまたはオフを指示する第３の制御信号を前記第２の制御部に送信し、前記第２の制御部は、受信した前記第３の制御信号に基づいて前記音響再生装置の電源のオンまたはオフを制御すると共に、前記電源のオンまたはオフの状態に基づく第１の制御信号を前記第１の制御部に送信してもよい。【００１４】
本発明に係る映像音声視聴システムの前記第１の制御部は、前記第２の制御部との間の通信状態を監視しており、通信可能状態では前記内部スピーカが消音状態となるように前記第１の音声出力制御部を制御し、通信不能状態では前記内部スピーカの消音状態が解除されるように前記第１の音声出力制御部を制御することが好ましい。【００１５】
また本発明に係る映像音声視聴システムは、複数の音声信号から１つの音声信号を選択する音声入力選択部を更に備えていることが好ましい。前記音声入力選択部は、前記映像音声再生装置に内蔵された第１の音声入力選択部と、前記音響再生装置に内蔵された第２の音声入力選択部とで構成されていてもよい。【００１６】
また本発明に係る映像音声視聴システムは、前記第１の音声入力選択部から出力された音声信号に必要な処理を施す第１の音声処理部を更に備えていることが好ましい。また本発明に係る映像音声視聴システムは、前記第２の音声入力選択部から出力された音声信号に必要な処理を施す第２の音声処理部を更に備えていることが好ましい。【００１７】
また、上記目的を達成する本発明に係る映像音声再生装置は、外部スピーカから音声を出力する音響再生装置と共に映像音声視聴システムを構成し、複数の音声信号から選択された音声信号を、前記音響再生装置の外部スピーカおよび自己の内部スピーカのいずれか一方へ出力する映像音声再生装置であって、
前記選択された音声信号を入力として前記内部スピーカへの出力を制御する音声出力制御部と、
通信手段を介して前記音響再生装置と相互に通信可能であり、かつ少なくとも前記音声出力制御部を制御する制御部とを備え、
前記制御部は、前記通信手段を介して得られる情報に基づいて前記音声出力制御部を制御するものである。【００１８】
また、上記目的を達成する本発明に係る音響再生装置は、映像および音声を再生する映像音声再生装置と共に映像音声視聴システムを構成し、複数の音声信号から選択された音声信号を、前記映像音声再生装置の内部スピーカおよび自己に接続された外部スピーカのいずれか一方へ出力する音響再生装置であって、
前記選択された音声信号を入力として、前記外部スピーカの音声出力を制御する音声出力制御部と、
前記映像音声再生装置と通信手段を介して相互に通信可能であり、かつ少なくとも前記音声出力制御部を制御する制御部とを備え、
前記制御部は、前記映像音声再生装置の制御部に対して、前記通信手段を介して電源のオンまたはオフの状態に基づく第１の制御信号を送信するものである。
【発明の効果】
【００１９】
本発明は、内部スピーカと外部スピーカの何れか一方から音声出力する映像音声視聴システムにおいて、音声を出力させる際に、内部スピーカと外部スピーカの選択性を改善し、ユーザによる選択の操作性を改善し、操作の煩わしさを軽減できる。
【図面の簡単な説明】
【００２０】
【図１】図１は、本発明の実施の形態１に係る映像音声視聴システムの構成を示すブロック図である。
【図２】図２は、図１に示した実施の形態１に係る映像音声視聴システムにおいて、テレビ放送の音声が再生される場合の内部スピーカの制御方法の説明図である。
【図３】図３は、図２で説明される映像音声視聴システムによる内部スピーカの制御方法におけるオーディオアンプ側の動作を示すフローチャートである。
【図４】図４は、図２で説明される映像音声視聴システムによる内部スピーカの制御方法におけるＴＶ側の動作を示すフローチャートである。
【図５】図５は、図１に示した実施の形態１に係る映像音声視聴システムにおいてＤＶＤが再生される場合の内部スピーカの制御方法の説明図である。
【図６】図６は、本発明の実施の形態２に係る映像音声視聴システムの構成を示すブロック図である。
【図７】図７は、本発明の実施の形態３に係る映像音声視聴システムによる内部スピーカの制御動作を示すフローチャートである。
【発明を実施するための最良の形態】
【００２１】
本発明の実施の形態について図面を参照して具体的に述べる前に、先ず本発明に係る映像音声視聴システムの動作原理について説明する。上述のように、本発明は従来の映像音声再生装置が有する内部スピーカおよびオーディオアンプに接続された外部スピーカのうち使用するスピーカの選択の操作性の改善と共に、オーディオアンプの電源操作や音量調整に要する操作性を改善し、操作の煩わしさを低減することを目的としている。【００２２】
この目的を達成するために、本発明においては、映像音声視聴システムを構成する内部スピーカを有するＴＶがオン状態時に、外部スピーカが接続されているオーディオアンプの電源を、ユーザがオン又はオフ操作を行った際に、内部スピーカおよび外部スピーカの何れかが自動的に選択される。そして、選択されたスピーカは音声を出力するように制御され、選択されなかったスピーカは音声を出力しない（消音）ように制御される。つまり、内部スピーカと外部スピーカの何れか一方からのみ音声が出力される。【００２３】
（実施の形態１）
以下に、図１、図２、図３、図４、および図５を参照して、本発明の実施の形態１に係る映像音声視聴システムについて説明する。図１は、映像音声視聴システムの構成を示す。映像音声視聴システムＶＡ１は、オーディオアンプ１００ＡおよびＴＶ２００Ａを含む。オーディオアンプ１００Ａは音響再生装置であり、ＴＶ２００Ａは映像音声再生装置である。【００２４】
ＴＶ２００Ａは、ＴＶチューナ２０１、音声入力選択部（以下、「ＡＩＳ」と称する）２０２、音声処理部２０３Ａ、音量制御部２０４、内部スピーカ２０５、制御部２０６Ａ、映像入力選択部（以下、「ＶＩＳ」と称する）２１０、映像処理部２１１Ａおよびディスプレイ２１２を含む。また入力端子２０９には、外部機器であり、衛星放送やＣＡＴＶの信号を受信するセットトップボックス（以下、「ＳＴＢ」と称する）２１４が接続されている。更に入力端子２０８は、映像信号および音声信号の伝送手段であるコード７００を介してオーディオアンプ１００Ａの出力端子１０８と接続されている。【００２５】
オーディオアンプ１００Ａは、ＡＩＳ１０２、音声処理部１０３Ａ、音声制御部１０４、制御部１０６Ａ、ＶＩＳ１１０、リモコン受信部１１３、操作ボタン１１４および電源１１５を含む。また端子１０９には、外部機器であるビデオデッキ４００、ＤＶＤプレーヤ５００ＡおよびＣＤプレーヤ６００が接続されている。制御部１０６Ａは、制御部２０６Ａと同様に、好ましくはマイクロコンピュータ(以下、「マイコン」と略称する)で構成される。なお、オーディオアンプ１００Ａには、外部スピーカとしてマルチチャンネルスピーカ１０５が接続されている。なお、説明の便宜上、マルチチャンネルスピーカ１０５を外部スピーカ１０５とも呼称するものとする。【００２６】
内部スピーカ２０５を有するＴＶ２００Ａの電源がオン状態時において、オーディオアンプ１００Ａの電源がオン・オフ状態に基づいて、先ずＴＶ２００Ａの内部スピーカ２０５からの音声出力の可否が決定される。つまり、オーディオアンプ１００Ａは電源のオン・オフ状態に基づき制御信号（コマンド）を生成して、ＴＶ２００Ａに送信する。この制御信号に基づいて、ＴＶ２００Ａは内部スピーカ２０５からの音声出力の可否を決定し、同決定に従い必要とされる音声処理を実行する。【００２７】
ユーザがオーディオアンプ１００Ａをオンにする行為は、ユーザはオーディオアンプ１００Ａに接続されている外部スピーカ（マルチチャンネルスピーカ）１０５からの音声出力を可能にする行為である。つまり、内部スピーカ２０５および外部スピーカ１０５の何れか一方のみの音声出力を可能にする本発明においては、オーディオアンプ１００Ａをオンにする行為は、ユーザが外部スピーカからの音声聴取を望んでいる意志の現れと見なすことが出来る。【００２８】
この理解に基づいて、オーディオアンプ１００Ａの電源がオンにされた場合には、ＴＶ２００Ａの内部スピーカ２０５からの音声出力は否と決定される。従って、内部スピーカ２０５からの音声出力を禁じる或いは消音する為の処理が実行される。なお、外部スピーカ１０５は、オーディオアンプ１００Ａの電源オンによって、自動的に音声出力が可能となるので、特段の処理は不要である。【００２９】
以下に、本発明に係る内部スピーカ２０５に対する処理について説明する前に、ＴＶ２００Ａおよびオーディオアンプ１００Ａによる映像音声再生の基本動作について
具体的に説明する。【００３０】
ＴＶ２００Ａにおいて、ＡＩＳ２０２は、制御部２０６Ａの制御に基づいて、ＴＶに内蔵されたＴＶチューナ２０１、ＳＴＢ２１４、およびオーディオアンプ１００Ａの出力端子１０８から出力される音声信号から１つの音声信号を選択する。なお、制御部２０６Ａへの指示は、後述するようにリモコン等を用いたユーザの操作によって行われる。音声処理部２０３Ａは、ＡＩＳ２０２で選択された音声信号Ｓａ１に必要な処理を施す。【００３１】
音量制御部２０４は、内部スピーカ２０５から音声出力される音声がユーザが指定した音量になるように、音声処理部２０３Ａから出力された音声信号Ｓａ２に処理を施す。なお、この音量制御部２０４により制御される音量には、内部スピーカ２０５からの音声が実質的に出力されない「消音状態」となるミューティングされたレベルも含まれる。なお、ＡＩＳ２０２から出力された音声信号Ｓａ１は、コード８００を介して端子２０９からオーディオアンプ１００Ａの入力端子１０９にも伝送される。【００３２】
ＶＩＳ２１０は、制御部２０６Ａの制御に基づいて、ＴＶチューナ２０１、ＳＴＢ２１４、およびオーディオアンプ１００Ａの出力端子１０８から出力される映像信号から１つの映像信号を選択的に出力する。制御部２０６Ａによる上述のＡＩＳ２０２による映像信号の選択およびＶＩＳ２１０による映像信号の選択制御は、ユーザがリモコンなどの手段（不図示）を用いてＴＶ２００Ａに与える指示に基づいて実行される。【００３３】
映像処理部２１１Ａは、ＶＩＳ２１０から出力された映像信号に基づいてをディスプレイ２１２により映像表示可能な処理が施された映像信号を生成する。映像処理部２１１Ａからディスプレイ２１２に映像信号が入力される。ディスプレイ２１２は、入力された映像信号に基づいて映像表示する。【００３４】
制御部２０６Ａは、好ましくはマイコンで構成される。制御部２０６Ａは、破線（一部省略）の矢印で示すようにＡＩＳ２０２や音量制御部２０４などの各構成要素と接続され種々の信号を交換して、それぞれの構成要素の動作を制御する。ここで、制御部２０６Ａは、各構成要素の動作制御に対応して、複数の部分に分割されていても良い。【００３５】
制御部２０６Ａは、通信手段３００によって、オーディオアンプ１００Ａの制御部１０６Ａに接続されている。そして、制御部２０６Ａは、通信手段３００を介して、制御部１０６Ａから制御信号Ｓｃ１を受信する。なお、制御信号Ｓｃ１は、ユーザの指示やオーディオアンプ１００Ａの状態に応じて、ＴＶ２００Ａに対して所定の処理を指示するコマンドとして、制御部１０６Ａによって生成されるが、これについては後ほど詳述する。【００３６】
制御部２０６Ａは、受信した制御信号Ｓｃ１を解析して、当該制御信号Ｓｃ１のコマンド（指示）の内容を認識する。そして、認識したコマンドに従い、所定の処理を行うべく、ＴＶ２００Ａの各構成要素の動作を制御する。【００３７】
次に、オーディオアンプ１００Ａによる動作について述べる。図１において破線（一部省略）で示されるように、制御部１０６Ａは、ＡＩＳ１０２や音量制御部１０４などの各構成要素と接続され種々の信号を交換して、それぞれの構成要素の動作を制御する。また制御部１０６Ａは、操作ボタン１１４からの信号、あるいはリモコン受信部１１３から入力されるリモコン信号を解析し、電源１１５から各部に供給される電力を電源スイッチ１１６によりオン・オフ制御する。ここで、制御部１０６Ａは、制御部２０６Ａと同様、各構成要素の動作制御に対応して、複数の部分に分割されていても良い。【００３８】
ＡＩＳ１０２は、制御部１０６Ａの制御に基づいて、ビデオデッキ４００、ＤＶＤプレーヤ５００Ａ、ＣＤプレーヤ６００、およびＴＶ２００Ａから出力された音声信号から１つの音声信号を選択的に出力する。音声処理部１０３Ａは、ＡＩＳ１０２から出力された音声信号Ｓｂ１に対して、デジタルサラウンドデコーダにより所定の音声処理を施して音声信号Ｓｂ２を生成する。【００３９】
音量制御部１０４は、外部スピーカ１０５から出力される音声がユーザにより指定された音量になるように音声信号Ｓｂ２に処理を施して外部スピーカ１０５に出力する。【００４０】
ＶＩＳ１１０は、制御部１０６Ａの制御に基づいて、ビデオデッキ４００とＤＶＤプレーヤ５００Ａから出力された映像信号から１つ映像信号を選択的に出力する。ＶＩＳ１１０から出力された映像信号は、出力端子１０８からＴＶ２００Ａの入力端子２０８へ伝送される。なお、ＶＩＳ１１０によって選択される映像信号およびＡＩＳ１０２によって選択される音声信号の信号源は同一である。つまり、同一の信号源とは、映像信号および音声信号を有するビデオデッキ４００またはＤＶＤプレーヤ５００Ａの何れかである。【００４１】
なお、ＴＶ２００Ａの制御部２０６Ａとオーディオアンプ１００Ａの制御部１０６Ａは、後述するＨＤＭＩ（High Definition Multimedia Interface）規格のオプション規格であるConsumer Electronics Control（ＣＥＣ）に準拠したコマンドを、通信手段３００を介して相互に送受信できるように構成してもよい。【００４２】
オーディオアンプ１００Ａの制御部１０６ＡおよびＴＶ２００Ａの制御部２０６Ａには、電源スイッチ１１６（ＴＶ２００Ａ側は図示せず）がオフ状態の場合にも、常に一定の電力が供給されている。これは、内部スピーカ２０５やマルチチャンネルスピーカ１０５から音声を出力していない状態、いわゆるスタンバイ状態においても制御信号を受信できるようにするためである。【００４３】
スタンバイ状態においては、ＡＩＳ１０２およびＶＩＳ１１０には、映像信号および音声信号を選択するために最低限必要な電力が供給さる。同様に、ＡＩＳ２０２およびＶＩＳ２１０にも映像信号および音声信号を選択するために最低限必要な電力が供給される。なお、内部スピーカ２０５から音声を出力する場合には、ＴＶ２００Ａに内蔵された電源（不図示）から音声処理部２０３Ａや音量制御部２０４に必要な電力が供給される。【００４４】
以下に、図２、図３、図４、および図５を参照して、本実施の形態に係る映像音声視聴システムＶＡ１による内部スピーカ２０５の制御方法について具体的に説明する。図２は図１と同様に映像音声視聴システムＶＡ１の構成を示しているが、テレビ放送が再生される場合の内部スピーカ２０５の制御方法を説明するに当たっての便宜上、ＳＴＢ２１４とオーディオアンプ１００Ａのビデオデッキ４００、ＤＶＤプレーヤ５００Ａ、およびＣＤプレーヤ６００が図示されていない。【００４５】
図３のフローチャートは、オーディオアンプ１００Ａの電源のオン・オフに関連した内部スピーカ２０５の制御のための、制御部１０６Ａの制御動作（コマンド生成）を示す。図４のフローチャートは、オーディオアンプ１００Ａの制御部１０６Ａの制御動作に対応したＴＶ２００Ａの制御部２０６Ａの制御動作を示す。【００４６】
図５は、図１と同様に映像音声視聴システムＶＡ１の構成を示しているが、ＤＶＤが再生される場合の内部スピーカ２０５の制御方法の説明の便宜上、ＳＴＢ２１４とオーディオアンプ１００Ａのビデオデッキ４００、およびＣＤプレーヤ６００が図示されていない一方、ＤＶＤプレーヤ５００Ａの内部構成が図示されている。【００４７】
制御部１０６Ａが、ユーザの指示やオーディオアンプ１００Ａの状態に応じて、ＴＶ２００Ａに対するコマンドとして制御信号Ｓｃ１を出力することは上述の通りである。なお、制御部１０６Ａは、電源スイッチ１１６の動作を制御すると共に、そのオン・オフ状態に応じた制御信号Ｓｃ１を生成する。そして、この制御信号Ｓｃ１に基づいて、ＴＶ２００Ａは内部スピーカ２０５の音量を調整する。この場合の制御信号Ｓｃ１は内蔵スピーカ２０５の音量調整を指示するコマンド（以降、「音量制御コマンド」という）である。【００４８】
そして、音量制御コマンドは、内蔵スピーカ２０５に対する音量調整の指示内容によって、さらに、消音コマンドと消音解除コマンドに分類できる。つまり、内部スピーカ２０５の音量を増大させる場合は、制御信号Ｓｃ１は制御部２０６Ａに対して消音解除を指示する消音解除コマンドである。同様に、内部スピーカ２０５の音量を減少させる場合には、制御信号Ｓｃ１は制御部２０６Ａに対して消音を指示する消音コマンドである。【００４９】
以下に、映像音声視聴システムＶＡ１による内部スピーカ２０５の制御について、＜テレビ放送の音声が再生される場合＞と＜ＤＶＤが再生される場合＞のそれぞれについて説明する。【００５０】
＜テレビ放送の音声が再生される場合＞
上述のように、本発明においては、ホームシアターシステムＶＡ１の内部スピーカ２０５がオン状態時、つまりＴＶ２００Ａが電源オン状態時に、ユーザにより外部スピーカ１０５に接続されているオーディオアンプ１００Ａの電源１１５のオン・オフ操作に基づいて、内部スピーカ２０５および外部スピーカ１０５の何れかが自動的に選択される。つまり、本発明による内部スピーカ２０５の制御は、ＴＶ２００Ａが電源オン状態で、オーディオアンプ１００Ａの電源１１５がオン・オフされた時に開始する。【００５１】
つまり、本発明による内部スピーカ２０５の制御が開始される前は、ＴＶ２００Ａは電源オン状態である。このとき、ＡＩＳ２０２は、制御部２０６Ａの指示に基づいて、ＴＶチューナ２０１から出力された音声信号を選択する。音声処理部２０３Ａは選択された音声信号Ｓａ１に基づいて、音声信号Ｓａ２を生成する。音声信号Ｓａ２は音量制御部２０４を経て、内部スピーカ２０５から指定された音量の音声として出力されている。【００５２】
一方、ＶＩＳ２１０は、制御部２０６Ａの指示に基づいて、ＴＶチューナ２０１から出力された映像信号を選択する。選択された映像信号は映像処理部２１１Ａで必要な処理が施される。映像制御部２１１Ａから出力された映像信号はディスプレイ２１２に映像として表示されている。【００５３】
上述のように、ユーザはＴＶ２００Ａの内部スピーカ２０５からの音声出力を楽しんでいる状態において、ＴＶチューナ２０１から出力される音声がマルチチャンネル放送音声に切り替わった場合について考える。この場合、ユーザは、内部スピーカ２０５ではなくオーディオアンプ１００Ａのマルチチャンネルスピーカ１０５を使用して迫力ある音響を楽しむために、オーディオアンプ１００Ａの電源１１５をオンにした時点で、内部スピーカ２０５の制御が開始される。【００５４】
以下に、図３を参照して、オーディオアンプ１００Ａの電源１１５のオン・オフに関連した制御部１０６Ａの動作について具体的に説明する。【００５５】
ステップＳ３０１において、制御部１０６Ａは、リモコンコマンドを解析して、コマンドの指示内容に応じて、電源１１５のオン・オフ制御を行う。【００５６】
ステップＳ３０２において、電源１１５が「オン状態」であると判断されると、制御部１０６Ａの制御はステップＳ３０３に進む。【００５７】
ステップＳ３０３において、制御部１０６Ａは、ＴＶ２００Ａの内部スピーカ２０５から音声を出力させないために、制御信号Ｓｃ１を消音コマンドとして生成する。制御信号Ｓｃ１（消音コマンド）は、通信手段３００を介してＴＶ２００Ａの制御部２０６Ａに入力される。【００５８】
一方、上述のステップＳ３０２において、電源１１５が「オフ状態」であると判断されると、制御部１０６Ａの制御はステップＳ３０４に進む。【００５９】
ステップＳ３０４において、制御部１０６ＡはＴＶ２００Ａの内部スピーカ２０５から音声を出力させるために、制御信号Ｓｃ１を消音解除コマンドとして生成する。制御信号Ｓｃ１（消音解除コマンド）は、通信手段３００を介してＴＶ２００Ａの制御部２０６Ａに入力される。【００６０】
上述のフローチャートにおいて、電源１１５のオンは、ユーザによるリモコンの電源ボタンの押下により実行される。つまり、リモコンボタンの押下に応答して、受信部１１３より電源操作リモコンコマンドが制御部１０６Ａに入力される。【００６１】
次に、図４を参照して、オーディオアンプ１００Ａの制御部１０６Ａの動作に対応したＴＶ２００Ａの制御部２０６Ａの動作について説明する。先ず、ステップＳ４０１において、制御部２０６Ａに入力された制御信号Ｓｃ１が、音量制御コマンド、つまり上述のステップＳ３０３で制御部２０６Ａに入力された制御信号Ｓｃ１であるか否が判断される。音量制御コマンドでない場合は、ステップＳ４０２において、入力されたコマンドに応じた処理が行われる。一方、上述のステップＳ４０１において、入力された制御信号Ｓｃ１が音量制御コマンドであると判断される場合には、制御はステップＳ４０３に進む。【００６２】
ステップＳ４０３において、音量制御コマンドが消音コマンドおよび消音解除コマンドのいずれであるかが判断される。消音コマンドであると判断される場合は、ステップＳ４０４において内部スピーカ２０５からの音声出力が消音される。【００６３】
ステップＳ４０３において、消音解除コマンドであると判断される場合は、ステップＳ４０５において内部スピーカ２０５か音声出力が消音解除される。【００６４】
ユーザによるリモコンの電源ボタンの押下により、電源１１５のオンが実行されている（ステップＳ３０１）ので、電源１１５はオン状態と判断され（ステップＳ３０２）、そして制御部２０６Ａには消音コマンドである制御信号Ｓｃ１が送信される（ステップＳ３０３）。【００６５】
さらに、制御部２０６Ａでは制御部１０６Ａから送信された制御信号Ｓｃ１が音量制御コマンドの消音コマンドであると判断（ステップＳ４０１およびＳ４０３）され、内部スピーカ２０５が消音される（ステップＳ４０４）。このようにして、ユーザによるオーディオアンプ１００Ａの電源１１５のオン操作により、内部スピーカ２０５は消音されて外部スピーカ１０５から音声が出力される。【００６６】
より具体的に言えば、ＴＶ２００ＡのＡＩＳ２０２から出力された音声信号Ｓａ１は、端子２０９、コード８００および端子１０９を介してオーディオアンプ１００ＡのＡＩＳ１０２にも入力される。オーディオアンプ１００Ａが「電源オン状態」になった場合、ＡＩＳ１０２は、制御部１０６Ａの指示に基づいてＴＶチューナ２０１から出力された音声信号を選択する。ＴＶチューナ２０１からの音声信号Ｓｂ１（音声信号Ｓａ１と同じ）は、音声処理部１０３Ａによりマルチチャンネル化など所定の処理が施されて音声信号Ｓｂ２となる。音声信号Ｓｂ２は音量制御部１０４により音量調節された後、マルチチャンネルスピーカ１０５から出力される。【００６７】
次に、上述したように、オーディオアンプ１００Ａが「電源オン」で内部スピーカ２０５が消音されて、外部スピーカ１０５から音声出力されている状態で、ユーザがオーディオアンプ１００Ａの電源をオフにしようと、例えば操作ボタン１１４の中の電源ボタンを押した場合について説明する。制御部１０６Ａは、図３のステップＳ３０１においてそのボタン操作を解析する。制御部１０６Ａは、解析結果に基づいて電源をオフにする指示があったと判定し、電源スイッチ１１６をオフにすることにより、オーディオアンプ１００Ａを「電源オフ状態」にする。【００６８】
ステップＳ３０２において「電源オフ状態」であると判断され、ステップＳ３０４においてＴＶ２００Ａの内部スピーカ２０５から音声が出力させるために消音解除コマンドとして制御信号Ｓｃ１が制御部２０６Ａに対して送信される。【００６９】
さらに、制御部２０６Ａでは制御部１０６Ａから送信された制御信号Ｓｃ１が音量制御コマンドの消音解除コマンドであると判断（ステップＳ４０１およびＳ４０３）されて、内部スピーカ２０５が消音解除される（ステップＳ４０５）。このようにして、ユーザによるオーディオアンプ１００Ａの電源１１５のオフ操作により、内部スピーカ２０５は消音解除されて内部スピーカ２０５から音声が出力される。この時、オーディオアンプ１００Ａは「電源オフ状態」になっているため、マルチチャンネルスピーカ１０５から音声が出力されることはない。【００７０】
このように、オーディオアンプ１００Ａの電源スイッチ１１６がオンの時は、ＴＶ２００Ａに内蔵されたＴＶチューナ２０１の音声がオーディオアンプ１００Ａのマルチチャンネルスピーカ１０５から出力される。結果、ＴＶ２００Ａの内部スピーカ２０５からは音声が出力されなくなる。【００７１】
逆に、オーディオアンプ１００Ａの電源スイッチ１１６がオンからオフにされた時は、マルチチャンネルスピーカ１０５から音声は出なくなる。そして、ＴＶ２００Ａの内蔵ＴＶチューナ２０１の音声は内部スピーカ２０５から出力される。【００７２】
以上、内部ＴＶチューナ２０１でＴＶ放送を視聴している場合について説明したが、入力端子２０９に接続されたＳＴＢ２１４で受信したＴＶ放送を再生する場合も同様の効果が得られる。【００７３】
＜ＤＶＤが再生される場合＞
図３、図４、および図５を参照して、ＤＶＤに記録されたコンテンツをＤＶＤプレーヤ５００Ａで再生する場合の内部スピーカ２０５の制御について説明する。上述のように、図５では図１に示したＳＴＢ２１４およびビデオデッキ４００とＣＤプレーヤ６００との表示が割愛されている。【００７４】
まず、オーディオアンプ１００Ａの電源スイッチ１１６がオフにされて「電源オフ状態」となっている場合について説明する。ＶＩＳ１１０は、制御部１０６Ａの指示に基づいて、ＤＶＤプレーヤ５００Ａから出力された映像信号を選択する。ＶＩＳ１１０から出力された映像信号は、出力端子１０８および入力端子２０９を経由してＴＶ２００ＡのＶＩＳ２１０に入力される。その後の処理は、ＴＶチューナ２０１で受信したＴＶ放送を再生する場合と同様であるため、説明を省略する。【００７５】
一方、ＡＩＳ１０２は、制御部１０６Ａの指示に基づいて、複数の音声信号のうちＤＶＤプレーヤ５００Ａから出力された音声信号を選択する。ＡＩＳ１０２から出力された音声信号Ｓｂ１は出力端子１０８および入力端子２０８を経由してＴＶ２００ＡのＡＩＳ２０２に入力される。ＡＩＳ２０２はＤＶＤプレーヤ５００Ａからの音声信号Ｓｂ１を選択する。【００７６】
ＡＩＳ２０２から出力された音声信号Ｓａ１（音声信号Ｓｂ１と同じ）は、音声処理部２０３Ａで必要な処理を施されて音声信号Ｓａ２となる。音声信号Ｓａ２は音量制御部２０４で音量調整された後に、内部スピーカ２０５から音声として出力される。この時、オーディオアンプ１００Ａは「電源オフ状態」となっているため、オーディオアンプ１００Ａに接続されているマルチチャンネルスピーカ１０５から音声は出力されない。【００７７】
次に、オーディオアンプ１００Ａのマルチチャンネルスピーカ１０５を使用して迫力ある音響を楽しむ場合について説明する。ユーザは、例えばオーディオアンプ１００Ａのリモコン（図示せず）の電源ボタンを押す。リモコン受信部１１３より電源操作リモコンコマンドが制御部１０６Ａに入力される。制御部１０６Ａはそのコマンドを解析する（図３のステップＳ３０１）。制御部１０６Ａは、電源１１５をオンにする指示があると判断した場合は、電源スイッチ１１６をオン制御してオーディオアンプ１００Ａを「電源オン状態」にする。この時、制御部１０６Ａは、ＴＶ２００Ａの内部スピーカ２０５から音声が出力されないようにするために、通信手段３００を介してＴＶ２００Ａの制御部２０６Ａに、消音コマンドを送信する（図３のステップＳ３０２およびＳ３０３）。【００７８】
消音コマンドを受信したＴＶ２００Ａの制御部２０６Ａは、音量制御部２０４を制御して内部スピーカ２０５から音声が出ないようにする（図４のステップＳ４０１，Ｓ４０２、およびＳ４０３）。【００７９】
ＡＩＳ１０２は、制御部１０６Ａの指示に基づいて、ＤＶＤプレーヤ５００Ａから出力された音声信号を選択する。ＡＩＳ１０２から出力された音声信号Ｓｂ１は音声処理部１０３Ａで必要な処理を施されて音声信号Ｓｂ２となる。音声信号Ｓｂ２は音量制御部１０４で音量調整された後、マルチチャンネルスピーカ１０５から音声として出力される。【００８０】
次に、ユーザがオーディオアンプ１００Ａの電源をオフにするため、例えば操作ボタン１１４の中の電源ボタンを押した場合について説明する。制御部１０６Ａはそのボタン操作を解析し、電源スイッチ１１６をオフ制御してオーディオアンプ１００Ａを「電源オフ状態」にする（図３のステップＳ３０１）。この時、制御部１０６Ａは、ＴＶ２００Ａの内部スピーカ２０５から音声が出力されるようにするために、通信手段３００を介してＴＶ２００Ａの制御部２０６Ａに、内部スピーカ２０５の音量を元に戻す消音解除コマンドを送信する（図３のステップＳ３０２およびＳ３０４）。このコマンドを受信した制御部２０６Ａは、音量制御部２０４を制御し、消音状態を解除して内部スピーカ２０５から音声が出力されるようにする（図４のステップＳ４０１，Ｓ４０３、Ｓ４０５）。【００８１】
従って、オーディオアンプ１００Ａの電源スイッチ１１６が入って電源がオンの時は、ＤＶＤプレーヤ５００Ａの音声がオーディオアンプ１００Ａのマルチチャンネルスピーカ１０５から出力される。またそれと同時に、ＴＶ２００Ａの内部スピーカ２０５からは音声が出なくなる。逆に、オーディオアンプ１００Ａの電源スイッチ１１６がオフの時は、マルチチャンネルスピーカ１０５から音声は出なくなり、ＤＶＤプレーヤ５００Ａの音声はＴＶ２００Ａの内部スピーカ２０５から出力される。【００８２】
なお、本実施の形態においては、ユーザがオーディオアンプ１００Ａのリモコン等を用いてオーディオアンプ１００Ａの電源スイッチ１１６をオン・オフ制御することにより電源をオン・オフした。しかしＴＶ２００Ａ用のリモコンを用いて、オーディオアンプ１００Ａの電源スイッチ１１６のオン・オフを切り換えることも可能である。具体的には、ＴＶ２００Ａ用のリモコンを用いてオーディオアンプ１００Ａの電源操作リモコンコマンドを制御部２０６Ａに入力する。制御部２０６Ａはそのコマンドを解析し、図５に示すようにオーディオアンプ１００Ａの制御部１０６Ａに対して電源スイッチ１１６のオン・オフを指示する制御信号Ｓｃ２を送る。【００８３】
このような操作方法を用いた場合、ＴＶ２００Ａのディスプレイ２１２に表示されたＧＵＩメニューなどを用いてオーディオアンプ１００Ａの電源スイッチ１１６のオン・オフの切り換えができる。結果、ＴＶ用のリモコンを操作するだけでスピーカの切り換えが行えるため、本システムの操作性が更に改善される。【００８４】
同様に、本システムに接続された外部機器の制御部からオーディオアンプ１００Ａの電源のオン・オフを指示する制御信号をオーディオアンプ１００Ａの制御部１０６Ａに送るようにしてもよい。例えば、図５に示すようにＤＶＤプレーヤ５００Ａの制御部５０１から、オーディオアンプ１００Ａの制御部１０６Ａに電源スイッチ１１６のオン・オフを指示する制御信号Ｓｃ３を送る。このようにすれば、ＤＶＤプレーヤ５００Ａの操作だけでスピーカの切り換えが行えるため、ＴＶのリモコンを用いる場合と同様の効果を得ることができる。【００８５】
以上説明したように、本実施の形態では、オーディオアンプ１００Ａの電源スイッチ１１６のオン・オフ操作だけで、ＴＶ２００Ａの内部スピーカ２０５とオーディオアンプ１００Ａのマルチチャンネルスピーカ１０５の切り換えが自動的に行われる。結果、ユーザに要求される個々のスピーカの選択の操作性を改善し、操作の煩わしさを軽減する映像音声視聴システムを提供できる。【００８６】
なお、本実施の形態において、ＴＶ２００Ａの音量制御部２０４は本発明の音声出力制御部の一例である。内部スピーカ２０５から音声が出力されるのを阻止するため、音量制御部２０４は消音、すなわち音量を絞る方法を採用したが、これに限定されるものではない。【００８７】
例えば、音声出力制御部として、音量を絞る機能以外に、内部スピーカ２０５との間の信号の伝達を遮断する機能を備えたものを用いる。また、制御部２０６Ａの指示に基づいて音声出力制御部内のスイッチ等を切断することにより、内部スピーカ２０５から音声が出力されるのを完全に阻止することができる。更に、制御部２０６Ａの指示に基づいてＡＩＳ２０２を制御し、ＡＩＳ２０２から音声信号が出力されるのを阻止することによっても、内部スピーカ２０５からの音声出力を阻止することができる。オーディオアンプ１００Ａの音量制御部１０４についても、音量制御部２０４と同様である。【００８８】
また本実施の形態において、ＡＩＳ２０２とＡＩＳ１０２は本発明の音声入力選択部の一例である。本実施の形態では、ＴＶ２００Ａとオーディオアンプ１００Ａの各々に音声入力選択部を設けたが、映像信号および音声信号の発生源に対応してＴＶ２００Ａおよびオーディオアンプ１００Ａのいずれか一方にのみ設けてもよい。更に、音声入力選択部をＴＶ２００Ａおよびオーディオアンプ１００Ａとは別に設け、その出力をＴＶ２００Ａおよびオーディオアンプ１００Ａの入力と接続するようにしてもよい。【００８９】
また、本実施の形態では、オーディオアンプは、ＴＶに対し制御信号によって音量の制御を直接指示しているが、オーディオアンプの電源状態やそれに代わる予め定義された制御信号を通知し、その情報を基にＴＶが音量を制御するようにしてもよい。【００９０】
また、本実施の形態では、オーディオアンプ１００Ａの電源スイッチ１１６のオンとオフのそれぞれに対応した制御信号を生成するようにしているが、電源スイッチのオン、あるいはオフのどちらか一方の変化だけに対応した制御信号を生成するようにしてもよい。【００９１】
（実施の形態２）
図６を参照して、本発明の実施の形態２に係る映像音声視聴システムについて説明する。図６において、図１に示した映像音声視聴システムＶＡ１の構成要素と同一の機能を有する部分には同一の符号を付し、詳細な説明は省略する。【００９２】
つまり、本実施の形態に係る映像音声視聴システムＶＡ２は、ＴＶ２００Ｂとオーディオアンプ１００Ｂ、更にオーディオアンプ１００Ｂと外部機器であるＤＶＤプレーヤ５００ＢおよびＤＶＤレコーダ７００は、ＨＤＭＩ規格に準拠したケーブル９００（以下、「ＨＤＭＩケーブル」と称する）で接続されている。ＨＤＭＩケーブル９００を用いることで、音声信号および映像信号を伝送するラインと、ＣＥＣ規格に準拠した制御信号を送信するラインを一本のケーブルに含めることができる。結果、機器間の接続が容易になる。【００９３】
最初に、ＨＤＭＩケーブル９００を介しての信号の伝送について簡単に説明する。図６において、例えばＤＶＤプレーヤ５００Ｂから出力された映像信号および音声信号は、ＨＤＭＩケーブル９００を介してオーディオアンプ１００Ｂへ伝送される。同様に、オーディオアンプ１００Ｂから出力された映像信号および音声信号はＨＤＭＩケーブル９００を介してＴＶ２００Ｂへ伝送される。ＴＶ２００Ｂ、ＡＶアンプ１００Ｂ、およびＤＶＤプレーヤ５００Ｂは、ＨＤＭＩケーブル９００を介して前述したＣＥＣに準拠した制御コマンド（以下、「ＣＥＣ信号」という）を、相互に送受信することができる。このＣＥＣ信号は、映像音声視聴システムＶＡ１における制御信号Ｓｃ１と同様に、音量制御コマンドとして使用される。【００９４】
ＨＤＭＩケーブル９００は、ＣＥＣ信号を伝送するＣＥＣライン９０１と映像信号および音声信号を伝送する映像・音声ライン９０２で構成されている。ＴＶ２００Ｂ、オーディオアンプ１００ＢおよびＤＶＤプレーヤ５００Ｂの各制御部２０６Ｂ、１０６Ｂおよび５０１Ｂは、ＣＥＣライン９０１を介してＣＥＣ信号を相互に送受信できる。一方、各機器は、映像・音声ライン９０２を介して、ＨＤＭＩ受信部およびＨＤＭＩ送信部の間で映像信号および音声信号を伝送できる。【００９５】
なお、著作権保護の観点から、ＨＤＭＩケーブル９００上にスクランブルが解かれた映像信号や音声信号が存在しないようにするため、映像信号および音声信号はＨＤＭＩ受信部およびＨＤＭＩ送信部を介して伝送される。また、ＨＤＭＩケーブル９００上を伝送される映像信号および音声信号は、基本的にデジタル化された信号である。【００９６】
次に、ＨＤＭＩケーブル９００に対応して新たに設けられた構成要素について説明する。オーディオアンプ１００Ｂの制御部１０６Ｂは、ＨＤＭＩコネクタ１１７および１１８を介して受信したＣＥＣ信号に応じた処理を行う。例えば、制御部１０６Ｂは、ＨＤＭＩ受信部１１９で受信した音声信号をデジタル音声入力部１２１に出力する。また制御部１０６Ｂは、ＨＤＭＩ受信部１１９で受信した映像信号および音声信号をＨＤＭＩ送信部１２０から再度ＨＤＭＩケーブル９００に出力する。【００９７】
ＨＤＭＩ受信部１１９は、ＨＤＭＩケーブル９００の映像・音声ライン９０２を介してＤＶＤプレーヤ５００Ｂから送られてきた映像信号および音声信号を、暗号鍵を用いてスクランブルを解除する。一方、ＨＤＭＩ送信部１２０は、ＨＤＭＩ受信部１１９でスクランブルが解除された映像信号および音声信号を、再度暗号鍵によってスクランブルした後、ＨＤＭＩケーブル９００の映像・音声ライン９０２に送り出す。【００９８】
ＨＤＭＩ受信部２１７は、ＨＤＭＩコネクタ２１５を介して入力された映像信号および音声信号を、暗号鍵を用いてスクランブルを解除する。スクランブルが解除された映像信号は映像処理部２１１Ｂへ出力される。映像処理部２１１Ｂは、映像信号に対しデコード処理および必要な処理を施す。また、スクランブルが解除された音声信号は音声処理部２０３Ｂへ出力される。音声処理部２０３Ｂは、音声信号に対しデコード処理および必要な処理を施す。【００９９】
なお、本実施の形態では、ＨＤＭＩケーブル９００の映像・音声ライン９０２を利用した映像信号および音声信号の伝送は、オーディオアンプ１００ＢからＴＶ２００Ｂ方向にのみ行われるように設定されている。従って、ＨＤＭＩケーブル９００を利用して、ＴＶ２００Ｂからオーディオアンプ１００Ｂに音声信号を伝送することができない。【０１００】
このため、ＴＶ２００Ｂからオーディオアンプ１００Ｂに音声信号を伝送する専用のラインが設けられている。具体的には、ＴＶ２００Ｂのデジタル音声出力部２１８から出力された音声信号は、出力端子２０９、コード８００および入力端子１０８を介してオーディオアンプ１００Ｂのデジタル音声入力部１２１に伝送される。デジタル音声出力部２１８およびデジタル音声入力部１２１は、例えば音声信号を光ケーブルを用いて伝送する場合に、電気信号の光信号への変換、および光信号の電気信号への変換を行う機能を備えている。【０１０１】
オーディオアンプ１００ＢのＨＤＭＩ受信部１１９は、上述した機能以外に図１のＡＩＳ１０２およびＶＩＳ１１０と同様の機能を有している。すなわち、制御部１０６Ｂの制御に基づいて、ＨＤＭＩ受信部１１９は、ＤＶＤプレーヤ５００ＢおよびＤＶＤレコーダ７００から転送された映像信号および音声信号のうちのいずれかを選択する。デジタル音声入力部１２１も図１のＡＩＳ１０２と同様の機能を備えている。デジタル音声入力部１２１は、ＨＤＭＩ受信部１１９から出力された音声信号、ＣＤプレーヤ６００から出力された音声信号、および入力端子１０８を介してＴＶ２００Ｂから伝送された音声信号のうちいずれかの音声信号を、制御部１０６Ｂの制御に基づいて選択する。【０１０２】
ＴＶ２００ＢのＨＤＭＩ受信部２１７も、図１のＡＩＳ２０２およびＶＩＳ２１０と同様の機能を備えている。具体的には、ＨＤＭＩ受信部２１７は、制御部２０６Ｂの制御に基づいて、ＨＤＭＩコネクタ２１５に接続されたＢＳデジタルチューナから出力された映像信号および音声信号と、ＨＤＭＩケーブル９００を介してオーディオアンプ１００Ｂから転送された映像信号および音声信号のうちのいずれかを選択する。選択された信号のうち映像信号は、映像処理部２１１Ｂに入力し、音声信号は音声処理部２０３Ｂに入力する。【０１０３】
次に、ＢＳデジタルチューナ２１６で受信したＴＶ放送の音声信号を、オーディオアンプ１００Ｂのマルチチャンネルスピーカ１０５から出力する場合の各部の動作について説明する。【０１０４】
図示しないリモコンを用いたユーザの指示に基づき、ＴＶ２００ＢのＨＤＭＩ受信部２１７はＢＳデジタルチューナ２１６の出力を選択する。この場合、音声出力モードとして、ＴＶ放送の音声信号を外部スピーカ１０５から出力するモードが選択されると、図５の制御信号Ｓｃ２と同様、ＴＶ２００Ｂの制御部２０６Ｂよりオーディオアンプ１００Ｂの電源をオンにするＣＥＣ信号が伝送され、オーディオアンプ１００Ｂは制御部１０６Ｂの制御に基づいて電源がオンの状態に設定される。【０１０５】
ＢＳデジタルチューナ２１６で受信したＴＶ放送に含まれる映像信号は、制御部２０６Ｂの指示に基づいて、ＨＤＭＩ受信部２１７で選択され、映像処理部２１１Ｂに入力される。映像処理部２１１Ｂでデコード処理および必要な処理が施された映像信号は、ディスプレイ２１２に映像として表示される。【０１０６】
一方、ＴＶ放送に含まれる音声信号は、制御部２０６Ｂの指示に基づいて、ＨＤＭＩ受信部２１７で選択された後、音声処理部２０３Ｂとデジタル音声出力部２１８に入力される。音声処理部２０３Ｂに入力された音声信号Ｓａ３はデコード処理および必要な処理を施されて音声信号Ｓａ４となる。音声信号Ｓａ４は音量制御部２０４に出力される。しかし、本ケースでは、オーディオアンプ１００Ｂのマルチチャンネルスピーカ１０５から音声が出力するように設定されており、音量制御部２０４は、制御部２０６Ｂによって消音状態となるよう制御されているため、内部スピーカ２０５から音声は出力されない。【０１０７】
デジタル音声出力部２１８から出力された音声信号Ｓａ３は、出力端子２０９、コード８００および入力端子１０８を介してデジタル音声入力部１２１に伝送される。制御部１０６Ｂの指示に基づき、デジタル音声入力部１２１で選択されたＴＶ放送の音声信号Ｓｂ３（音声信号Ｓａ３と同じ）は、音声処理部１０３Ｂにおいてデコードされ、また必要な処理が施されて音声信号Ｓｂ４となる。音声処理部１０３Ｂから出力された音声信号Ｓｂ４は、音量制御部１０４において実施の形態１と同様の処理が施された後、マルチチャンネルスピーカ１０５から音声として出力される。【０１０８】
上述した本実施の形態の映像音声視聴システムにおいて、オーディオアンプ１００Ｂから送られてくる電源のオン・オフの状態を示すＣＥＣ信号に基づいて、ＴＶ２００Ｂが内部スピーカから音声を出力するか、消音するかを決定する処理は、実施の形態１で説明した処理と同様である。【０１０９】
まず、オーディオアンプ１００Ｂの電源スイッチ１１６が切れて「電源オフ状態」となっている場合について説明する。この場合、オーディオアンプ１００Ｂはスタンバイ状態にあり、外部スピーカ１０５から音声は出力されない。この状態においても、ＨＤＭＩ受信部１１９およびＨＤＭＩ送信部１２０を介して、ＤＶＤプレーヤ５００ＢまたはＤＶＤレコーダ７００のうち選択された方の映像信号および音声信号が、ＴＶ２００ＢのＨＤＭＩ受信部に伝送され得る。【０１１０】
例えば、ＤＶＤプレーヤ５００Ｂの映像信号および音声信号を、ＴＶ２００Ｂのディスプレイ２１２および内部スピーカ２０５を用いて再生している状態で、その音声信号をオーディオアンプ１００Ｂの外部スピーカ１０５で出力する場合について説明する。【０１１１】
まず、オーディオアンプ１００Ｂの電源スイッチ１１６がオンされると、オーディオアンプ１００Ｂはスタンバイ状態である「電源オフ状態」から「電源オン状態」となる。制御手段１０６Ｂの制御に基づき、ＨＤＭＩ受信部１１９で選択されたＤＶＤプレーヤ５００Ｂからの音声信号は、デジタル音声入力部１２１、音声処理部１０３Ｂおよび音量制御部１０４を介して、外部スピーカ１０５に伝送され、音声として出力される。また、制御部１０６Ｂは、ＣＥＣライン９０１を介し、ＴＶ２００Ｂの制御部２０６Ｂに対して、消音コマンドに対応するＣＥＣ信号を送信する。ＴＶ２００Ｂの制御部２０６Ｂは、前記ＣＥＣ信号を受信すると、前述した図４のフローに従い、音量制御部２０４を制御して、内部スピーカ２０５から音声が出力されないようにする。【０１１２】
この結果、外部スピーカ１０５から音声が出力され、内部スピーカ２０５からの音声は出なくなる。すなわち、ユーザにとっては、オーディオアンプ１００Ｂの電源スイッチ１１６をオンにする操作のみで、オーディオアンプ１００Ｂの外部スピーカ１０５を音声が出力できる状態とし、ＴＶ２００Ｂの内部スピーカ２０５を消音状態とすることができる。【０１１３】
次に、オーディオアンプ１００Ｂが「電源オン状態」から「電源オフ状態」に変わると、ＣＥＣライン９０１を介し、制御部１０６Ｂと制御部２０６Ｂとの間で、消音解除コマンドに対応するＣＥＣ信号が伝送される。結果、外部スピーカ１０５の消音と内部スピーカ２０５への音声出力が行われる。その際の処理は、前述した図３および図４に示すフローチャートに従って行われる。この結果、ユーザにとっては、オーディオアンプ１００Ｂの電源スイッチ１１６をオフにする操作のみで、外部スピーカ１０５を消音状態とし、ＴＶ２００Ｂの内部スピーカ２０５から音声を出力できる状態とすることができる。【０１１４】
（実施の形態３）
次に、本発明の実施の形態３に係る映像音声視聴システムについて説明する。実施の形態３に係る映像音声視聴システムＶＡ３（不図示）は、図１および図６にそれぞれ示された映像音声視聴システムＶＡ１およびＶＡ２の何れかと基本的に同様に構成できる。しかしながら、本明細書においては、説明の便宜上、映像音声視聴システムＶＡ３は映像音声視聴システムＶＡ２と同じ構成を有するものする。但し、映像音声視聴システムＶＡ３においては、ＴＶの制御部２０６Ｂは、映像音声視聴システムＶＡ２における機能に加えて、オーディオアンプ１００Ｂとの通信状態を監視する機能を備えている。そして、制御部２０６Ｂはその監視の結果に基づき、内部スピーカ２０５から音声を出力するか否かを制御する。【０１１５】
映像音声視聴システムＶＡ３においても映像音声視聴システムＶＡ２におけるのと同様に、ＴＶ１００Ｂの制御部２０６Ｂは、オーディオアンプ１００Ｂの制御部１０６Ｂから送信された「消音コマンド」又は「消音解除コマンド」の制御信号を含むＣＥＣ信号に基づいて、内部スピーカ２０５から音声を出力するか否かを決めている。しかしながら、映像音声視聴システムＶＡ３においては、ＴＶ２００Ｂの制御部２０６Ｂは、さらにオーディオアンプ１００Ｂとの通信状態を監視し、監視結果に基づいて、内部スピーカ２０５から音声を出力するか否かを決めている。【０１１６】
映像音声視聴システムＶＡ３による、オーディオアンプ１００Ｂの制御部１０６Ｂから送信されたＣＥＣ信号に基づく内部スピーカ２０５の制御は、映像音声視聴システムＶＡ２におけるのと同様であるので説明を省略する。【０１１７】
以下に、図６と図７を参照して、オーディオアンプ１００Ｂとの通信状態に基づく映像音声視聴システムＶＡ３による内部スピーカ２０５の制御について説明する。
ここで、オーディオアンプ１００Ｂとの通信状態を監視するとは、通信手段であるＨＤＭＩケーブル９００を介してオーディオアンプ１００Ｂの制御部１０６Ｂとの間で通信が可能か否かを監視することをいう。通信が不能となる具体的なケースとして、以下の場合が挙げられる。ＨＤＭＩケーブル９００が何らかの理由でＴＶ２００Ｂまたはオーディオアンプ１００Ｂから外れた場合、オーディオアンプ１００Ｂの電源コードのプラグがコンセントから外れて制御部１０６Ｂへ電力が供給されなくなった場合、電池駆動のオーディオアンプ１００Ｂにおいて電池の容量が少なくなり、電圧が大幅に低下した場合などである。【０１１８】
図７のフローチャートは、ＨＤＭＩケーブル９００のＣＥＣライン９０１を利用して通信状態の監視を行う制御部２０６Ｂの動作を示す。以下、図６および図７を参照して通信状態の監視に関連した処理について説明する。
ここでは、便宜上、始めに、実施の形態１または２で説明したのと同様の方法によってオーディオアンプ１００Ｂが「電源オン状態」となっており、マルチチャンネルスピーカ１０５から音声が出力されているとする。この状態では、ＴＶ２００Ｂは、オーディオアンプ１００Ｂから送信された消音コマンドを受け、内部スピーカ２０５から音声が出力されない状態となっている。【０１１９】
ＴＶ２００Ｂは、「電源オン状態」であり、制御部２０６Ｂは、ＣＥＣライン９０１を介したオーディオアンプ１００Ｂの制御部１０６Ｂとの間の通信状態を常時監視している。ステップＳ７０１において、制御部２０６Ｂは、ＴＶ２００Ｂとオーディオアンプ１００Ｂとの間に接続されたＨＤＭＩケーブル９００の接続状態を判断する。ＨＤＭＩケーブル９００が正常に接続されているか否かによって電圧等が変化するため、判断は、その変化を検出することにより行うことができる。ステップＳ７０１において、ＨＤＭＩケーブル９００が正常に接続されていないと判断した場合、例えばＨＤＭＩケーブル９００が抜かれた場合には、ステップＳ７０７に進む。【０１２０】
ステップＳ７０１でＨＤＭＩケーブルが接続された状態にあると判断されれば、ステップＳ７０２に進む。ステップＳ７０２において、制御部２０６Ｂは、操作手段からの指示等によってコマンドをオーディオアンプ１００Ｂに送信する必要があるかどうかを判断し、必要があればステップＳ７０３に進み、必要がなければ通常動作に進む。【０１２１】
制御部２０６Ｂは、ステップＳ７０３において、ＣＥＣラインを介してコマンドの送信を行う。制御部２０６Ｂは、オーディオアンプ１００Ｂの制御部１０６Ｂに向け、例えば、電源１１５のオン・オフの状態の報告を要求するコマンドを送信する。制御部２０６Ｂは、ステップＳ７０４において、制御部１０６Ｂから上記コマンドに対する返信があるか否かを判断する。返信があった場合、制御部２０６Ｂは、ステップＳ７０５において、制御部１０６Ｂとの間の通信が可能な状態にあると判断し、通常動作に進む。【０１２２】
一方、ステップＳ７０４において返信がない場合はステップＳ７０６に進む。ステップＳ７０６において、一定時間経過してもコマンドの返信がない場合、制御部２０６Ｂは、ステップＳ７０７において、制御部１０６Ｂとの間の通信ができない状態にあると判断する。この場合、制御部１０６Ｂによるオーディオアンプ１００Ｂ各部の制御が適切に行われず、マルチチャンネルスピーカ１０５から音声を出力できなくなる。このため、制御部２０６Ｂは、ステップＳ７０８において、音声制御部２０４に指示して、上述のステップＳ４０４において消音された内部スピーカ２０５を消音解除する。【０１２３】
なお、本発明では内部スピーカ２０５の消音は、上述の映像音声視聴システムＶＡ２におけるのと同様に、制御部１０６Ｂから制御部２０６ＢへのＣＥＣ信号の送信に基づいて音量制御部１０４の制御を行うことにより実行されている。しかしながら、内部スピーカ２０５は他の任意な方法で消音されている場合にも、本実施の形態における内部スピーカ２０５の消音解除が有効であることはいうまでもない。【０１２４】
以上説明したように、本実施の形態において、ＴＶ２００Ｂの制御部２０６Ｂは、オーディオアンプ１００Ｂの制御部１０６Ｂとの間の通信状態を常に監視している。制御部２０６Ｂは、何らかの理由で通信ができない状態になった場合、内部スピーカ２０５から音声を出力するように音量制御部１０４の制御を行う。結果、マルチチャンネルスピーカ１０５および内部スピーカ２０５のいずれのスピーカからも音声が出力されない状態が発生するのを回避できる。【０１２５】
また本実施の形態では、通信状態の監視を、ＣＥＣライン９０１の電圧等を検出する方法と、返信のコマンドの有無で判断する方法の２つの方法で行っているため、異なる原因によって通信ができない状態が発生しても、その状態を確実に判定できる。【０１２６】
なお、本実施の形態では、図６に示すＨＤＭＩケーブル９００のＣＥＣライン９０１を利用して通信状態の監視を行う例について説明したが、これに限定されるものではない。例えば、実施の形態１におけるＴＶ２００Ａの制御部２０６Ａとオーディオアンプ１００Ａの制御部１０６Ａとの間で伝送される制御信号を検出することによって通信不能状態を判定することもできる。また、機器間の接続状態が絶たれたことを何らかの状態変化で検出することにより、通信不能状態を判定することも可能である。
【産業上の利用可能性】
【０１２７】
本発明によれば、ユーザに要求される個々のスピーカの操作性を改善した映像音声視聴システムを提供できるため、ＴＶとオーディオアンプを備えてその連携動作が必要な、家庭で使用するホームシアターシステムとして広く利用可能である。
【図１】
2007052625.tif 000003
【図２】
2007052625.tif 000004
【図３】
2007052625.tif 000005
【図４】
2007052625.tif 000006
【図５】
2007052625.tif 000007
【図６】
2007052625.tif 000008
【図７】
2007052625.tif 000009
【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
映像信号および音声信号を再生しその音声信号を出力する内部スピーカを有する映像音声再生装置、外部スピーカから音声信号を出力する音響再生装置、前記映像音声再生装置と前記音響再生装置との間に接続され映像信号および音声信号を伝送する伝送手段、ならびに前記映像音声再生装置および前記音響再生装置の間に接続された通信手段とを備え、前記映像音声再生装置または前記音響再生装置に入力される複数の音声信号から音声入力選択部により選択された音声信号を前記伝送手段を介して伝送することにより、前記映像音声再生装置の内部スピーカおよび前記音響再生装置の外部スピーカのいずれか一方へ出力する映像音声視聴システムであって、
（ａ）前記映像音声再生装置は、
前記選択された音声信号を入力として前記内部スピーカへの出力を制御する第１の音声出力制御部と、
少なくとも前記第１の音声出力制御部を制御する第１の制御部とを備え、
（ｂ）前記音響再生装置は、
前記選択された音声信号を入力として前記外部スピーカへの出力を制御する第２の音声出力制御部と、
少なくとも前記第２の音声出力制御部および前記音響再生装置の電源回路を制御すると共に、前記電源回路のオン・オフ状態に基づく制御信号を生成する第２の制御部とを備え、
（ｃ）前記通信手段は、
前記第１および前記第２の制御部間において相互に通信が可能であり、一方の制御部で送信した制御信号を他方の制御部により受信可能なように構成され、
（ｄ）前記第１の制御部は、
前記通信手段を介して得られる第２の制御部から送信された前記音響再生装置の電源オン・オフ状態に基づく第１の制御信号情報、または前記通信手段の通信状態の監視により得られる通信可能・不能情報に基づいて、前記第１の音声出力制御部を制御することにより前記選択された音声信号を前記内部スピーカへ出力するか否かを制御する映像音声視聴システム。
【請求項２】
前記第１の制御部は、前記第１の制御信号として電源がオンであることを示す信号を受信したときは前記内部スピーカが消音状態となり、電源がオフであることを示す信号を受信したときは前記内部スピーカの消音状態が解除されるよう前記第１の音声出力制御部を制御する請求項１に記載の映像音声視聴システム。
【請求項３】
前記第１の制御部は、前記音響再生装置の電源のオンまたはオフを指示する第２の制御信号を前記第２の制御部に送信し、前記第２の制御部は、受信した前記第２の制御信号に基づいて前記音響再生装置の電源のオンまたはオフを制御すると共に、前記電源のオンまたはオフの状態に基づく第１の制御信号を前記第１の制御部に送信する請求項１に記載の映像音声視聴システム。
【請求項４】
映像信号および音声信号の再生機能を有する第３の装置に備えられた第３の制御部から、前記音響再生装置の電源のオンまたはオフを指示する第３の制御信号を前記第２の制御部に送信し、前記第２の制御部は、受信した前記第３の制御信号に基づいて前記音響再生装置の電源のオンまたはオフを制御すると共に、前記電源のオンまたはオフの状態に基づく第１の制御信号を前記第１の制御部に送信する請求項１に記載の映像音声視聴システム。
【請求項５】
前記第１の制御信号は、Consumer Electronics Control（ＣＥＣ）規格に準拠した信号である請求項１に記載の映像音声視聴システム。
【請求項６】
前記第１の制御部は、前記第２の制御部との間の通信状態を監視しており、通信可能状態では前記内部スピーカが消音状態となるように前記第１の音声出力制御部を制御し、通信不能状態では前記内部スピーカの消音状態が解除されるように前記第１の音声出力制御部を制御する請求項１に記載の映像音声視聴システム。
【請求項７】
前記音声入力選択部は、前記映像音声再生装置に内蔵された第１の音声入力選択部と、前記音響再生装置に内蔵された第２の音声入力選択部とで構成された請求項６に記載の映像音声視聴システム。
【請求項８】
前記第１の音声入力選択部から出力された音声信号に必要な処理を施す第１の音声処理部を更に備えた請求項７に記載の映像音声視聴システム。
【請求項９】
前記第２の音声入力選択部から出力された音声信号に必要な処理を施す第２の音声処理部を更に備えた請求項７に記載の映像音声視聴システム。
【請求項１０】
前記通信手段は、High Definition Multimedia Interface（ＨＤＭＩ）規格に準拠した信号線である請求項１に記載の映像音声視聴システム。
【請求項１１】
前記映像音声再生装置はテレビジョン受像機、前記音響再生装置はオーディオアンプである請求項１に記載の映像音声視聴システム。
【請求項１２】
外部スピーカから音声を出力する音響再生装置と共に映像音声視聴システムを構成し、音声入力選択部により複数の音声信号から選択された音声信号を、前記音響再生装置の外部スピーカおよび自己の内部スピーカのいずれか一方へ出力する映像音声再生装置であって、
前記選択された音声信号を入力として前記内部スピーカへの出力を制御する音声出力制御部と、少なくとも前記音声出力制御部を制御する制御部とを備え、
前記制御部は、前記通信手段を介して前記音響再生装置の制御部と相互に通信して制御信号情報を受信可能で、且つ前記音響再生装置との通信状態を監視しており、前記通信手段を介して得られる前記音響再生装置の電源オン・オフ状態に基づく制御信号情報、または前記通信手段の通信状態の監視により得られる通信可能・不能情報に基づいて、前記音声出力制御部を制御するように構成され、
前記音声出力制御部は、前記制御部の制御に対応して前記選択された音声信号を前記内部スピーカへ出力するか否かを制御する映像音声再生装置。
【請求項１３】
前記制御部は、電源がオンであることを示す制御信号を受信したときは前記内部スピーカが消音状態となり、電源がオフであることを示す制御信号を受信したときは前記内部スピーカの消音状態が解除されるように前記音声出力制御部を制御する請求項１２に記載の映像音声再生装置。
【請求項１４】
前記制御信号は、Consumer Electronics Control（ＣＥＣ）規格に準拠した信号である請求項１２に記載の映像音声再生装置。
【請求項１５】
前記音声入力選択部から出力された音声信号に必要な処理を施す音声処理部を更に備えた請求項１２に記載の映像音声再生装置。
【請求項１６】
前記制御部は前記音響再生装置との通信状態を監視しており、通信可能状態では前記内部スピーカが消音状態となるように前記音声出力制御部を制御し、通信不能状態では前記内部スピーカの消音状態が解除されるように前記音声出力制御部を制御する請求項１２記載の映像音声再生装置。
【請求項１７】
前記通信手段は、High Definition Multimedia Interface（ＨＤＭＩ）規格に準拠した信号線である請求項１２記載の映像音声再生装置。
【請求項１８】
外部スピーカに音声信号を出力するための音声出力制御部と、映像信号および音声信号の発生機能を有する第１の外部装置から映像信号および音声信号を入力する信号入力部と、内部スピーカを有し映像および音声を出力可能な第２の外部装置に対して映像信号および音声信号を出力する信号出力部と、電源オン・オフ操作に基づき制御され電源オフ状態はスタンバイ状態である電源回路と、少なくとも前記各部を制御する制御部とを備えた音響再生装置であって、
前記信号入力部および信号出力部は、第１の外部装置から映像信号および音声信号を受信し、第２の外部装置に対して映像信号および音声信号を送信する伝送機能を有しており、この伝送機能は前記電源オフのスタンバイ状態においても行い得るものであり、
前記電源オン状態において、前記制御部は、前記信号入力部および前記信号出力部を介した映像信号および音声信号の送受信による伝送を行い得ると共に、前記音声出力制御部の制御により第１の外部機器から入力した音声信号を外部スピーカに出力可能とするように構成され、
前記電源回路の電源オン状態から電源オフ状態に変化した場合、前記制御部は、第１の外部機器から入力した音声信号を外部スピーカに出力しないよう前記音声出力制御部を制御し、前記信号入力部および前記信号出力部による映像信号および音声信号の送受信による伝送を行い得ると共に、電源オフ情報の制御コマンドを発生して前記第２の外部装置の制御手段に対して送信するように構成され、
前記電源オフ状態に基づく前記制御コマンドの送信により第２の外部機器の内部スピーカからの音声出力を制御可能とした音響再生装置。
【請求項１９】
電源オン時において、前記制御部は、前記音声出力制御部の制御により第１の外部機器から入力した音声信号を外部スピーカに出力するように制御すると共に、内部スピーカを消音する制御コマンドを発生して第２の外部装置の制御手段に対して送信するように構成される請求項１８に記載の音響再生装置。
【請求項２０】
前記制御部が発生する電源オフ情報の制御コマンドは、前記第２の外部装置の内部スピーカからの出力を行わないようにするための消音コマンドであるように構成される請求項１８に記載の音響再生装置。
【請求項２１】
前記制御部は、前記第２の外部装置から前記通信手段を介して自己の電源のオンまたはオフを指示する制御信号を受信したとき、この制御信号に基づいて前記電源のオンまたはオフを制御する請求項１８に記載の音響再生装置。
【請求項２２】
前記第１の制御信号は、Consumer Electronics Control（ＣＥＣ）規格に準拠した信号である請求項１８に記載の音響再生装置。
【請求項２３】
複数の音声信号から１つの音声信号を選択する音声入力選択部を更に備えた請求項１８に記載の音響再生装置。
【請求項２４】
前記音声入力選択部から出力された音声信号に必要な処理を施す音声処理部を更に備えた請求項２３に記載の音響再生装置。
【請求項２５】
前記通信手段は、High Definition Multimedia Interface（ＨＤＭＩ）規格に準拠した信号線である請求項１８に記載の音響再生装置。
【手続補正２】
【補正対象書類名】明細書
【補正対象項目名】全文
【補正方法】変更
【補正の内容】
【発明の詳細な説明】
【技術分野】
【０００１】
本発明は、内部スピーカを有するテレビジョン受信機等の映像音声再生装置、および外部スピーカを接続したオーディオアンプ等の音響再生装置を備える映像音声視聴システムに関し、更にＤＶＤプレーヤやＤＶＤレコーダ等のＡＶ機器を備える映像音声視聴システムに関する。
【背景技術】
【０００２】
テレビジョン受信機（以下、「ＴＶ」と称する）にオーディオアンプを接続して自宅で映画館のような臨場感を実現する、一般にホームシアターシステムと呼ばれる映像音声視聴システムが普及しつつある。ユーザはホームシアターシステムのオーディオアンプに接続した外部スピーカおよびＴＶに有する内部スピーカの何れかを選択して、選択されたスピーカから出力される音声を楽しむことが出来る。
【０００３】
たとえば、オーディオアンプを使用して迫力のある音響を楽しむ場合には、ユーザは、まず、ＴＶのリモコンを操作して内部スピーカの音量を絞る。次に、ユーザはオーディオアンプのリモコンを操作してオーディオアンプの電源を入れ、外部スピーカの音量を調整する。
【０００４】
その後、夜間など、大音量を鳴らすことが許容されない状況になると、ユーザは、外部スピーカからではなく内部スピーカの音声に切り換える必要が生じる。この場合、ユーザはオーディオアンプの電源を切るか外部スピーカの音量を絞ると共に、ＴＶの内部スピーカの音量を調整すると言う動作をしなければならない。
【０００５】
上述の映像音声視聴システムでは、オーディオアンプの外部スピーカを使用する場合や、外部スピーカを内部スピーカに切り換える場合には、使用するスピーカに応じて、ユーザはそれぞれのスピーカの音量調整（含む電源操作）を個別に手動で行う必要がある。このような個別の手動操作はユーザにとって面倒で煩わしい作業である。
【０００６】
ユーザが切り換え前および切り換え後のスピーカ毎に個別に操作するという煩わしさを解消する技術が提案されている（特許文献１、特許文献２）。具体的には、内部スピーカと外部スピーカとの間で音声出力切り換えが簡単に行えるようにしたＴＶやオーディオアンプが開示されている。つまり、ユーザはリモコン等によるスイッチを用いて、内部スピーカと外部スピーカの何れかを選択切り換えして使用するように構成されている。
【特許文献１】特開平５−１５３５２０号公報
【特許文献２】特開平１０−７９８９６号公報
【発明の開示】
【発明が解決しようとする課題】
【０００７】
上述のリモコンを用いて音声出力させるスピーカを切り換える方法においては、使用するスピーカの選択の操作性は改善される。しかしながら、使用しないアンプの電源操作、あるいはスピーカの音量を絞る操作等の煩わしさは改善されない。
【０００８】
また、ＴＶの音声をオーディオアンプの外部スピーカで再生している最中に、オーディオアンプ側で異常が生じて音声出力されないことが生じる。そのような異常の原因としてはＴＶとオーディオアンプを結ぶケーブルが外れたり、オーディオアンプの電源が切れたり、オーディオアンプの内部エラーなどが考えられる。この場合、ユーザの音楽視聴の要望が満たされない。
【０００９】
本発明は、従来の映像音声視聴システムが有する上述の問題に鑑みて外部スピーカを使用する際の電源操作や音量調整を含めて、ユーザに要求される個々のスピーカの選択の操作性を改善し、操作の煩わしさを軽減する映像音声視聴システムを提供することを目的とする。
【課題を解決するための手段】
【００１０】
上記目的を達成するため本発明に係る映像音声視聴システムは、映像信号および音声信号を再生しその音声信号を出力する内部スピーカを有する映像音声再生装置、外部スピーカから音声信号を出力する音響再生装置、前記映像音声再生装置と前記音響再生装置との間に接続され映像信号および音声信号を伝送する伝送手段、ならびに前記映像音声再生装置および前記音響再生装置の間に接続された通信手段とを備え、前記映像音声再生装置または前記音響再生装置に入力される複数の音声信号から音声入力選択部により選択された音声信号を前記伝送手段を介して伝送することにより、前記映像音声再生装置の内部スピーカおよび前記音響再生装置の外部スピーカのいずれか一方へ出力する映像音声視聴システムであって、
（ａ）前記映像音声再生装置は、
前記選択された音声信号を入力として前記内部スピーカへの出力を制御する第１の音声出力制御部と、
少なくとも前記第１の音声出力制御部を制御する第１の制御部とを備え、
（ｂ）前記音響再生装置は、
前記選択された音声信号を入力として前記外部スピーカへの出力を制御する第２の音声出力制御部と、
少なくとも前記第２の音声出力制御部および前記音響再生装置の電源回路を制御すると共に、前記電源回路のオン・オフ状態に基づく制御信号を生成する第２の制御部とを備え、
（ｃ）前記通信手段は、
前記第１および前記第２の制御部間において相互に通信が可能であり、一方の制御部で送信した制御信号を他方の制御部により受信可能なように構成され、
（ｄ）前記第１の制御部は、
前記通信手段を介して得られる第２の制御部から送信された前記音響再生装置の電源オン・オフ状態に基づく第１の制御信号情報、または前記通信手段の通信状態の監視により得られる通信可能・不能情報に基づいて、前記第１の音声出力制御部を制御することにより前記選択された音声信号を前記内部スピーカへ出力するか否かを制御する。
【００１１】
本発明に係る映像音声視聴システムの前記第１の制御部は、前記第１の制御信号として電源がオンであることを示す信号を受信したときは前記内部スピーカが消音状態となり、電源がオフであることを示す信号を受信したときは前記内部スピーカの消音状態が解除されるよう前記第１の音声出力制御部を制御することが好ましい。
また前記第１の制御部は、前記音響再生装置の電源のオンまたはオフを指示する第２の制御信号を前記第２の制御部に送信し、前記第２の制御部は、受信した前記第２の制御信号に基づいて前記音響再生装置の電源のオンまたはオフを制御すると共に、前記電源のオンまたはオフの状態に基づく第１の制御信号を前記第１の制御部に送信するすることが好ましい。
【００１２】
また映像信号および音声信号の再生機能を有する第３の装置に備えられた第３の制御部から、前記音響再生装置の電源のオンまたはオフを指示する第３の制御信号を前記第２の制御部に送信し、前記第２の制御部は、受信した前記第３の制御信号に基づいて前記音響再生装置の電源のオンまたはオフを制御すると共に、前記電源のオンまたはオフの状態に基づく第１の制御信号を前記第１の制御部に送信するすることが好ましい。
また前記第１の制御信号は、Consumer Electronics Control（ＣＥＣ）規格に準拠した信号であることが好ましい。
【００１３】
また前記第１の制御部は、前記第２の制御部との間の通信状態を監視しており、通信可能状態では前記内部スピーカが消音状態となるように前記第１の音声出力制御部を制御し、通信不能状態では前記内部スピーカの消音状態が解除されるように前記第１の音声出力制御部を制御することが好ましい。
また前記音声入力選択部は、前記映像音声再生装置に内蔵された第１の音声入力選択部と、前記音響再生装置に内蔵された第２の音声入力選択部とで構成されることが好ましい。
【００１４】
また前記第１の音声入力選択部から出力された音声信号に必要な処理を施す第１の音声処理部を更に備えることが好ましい。
また前記第２の音声入力選択部から出力された音声信号に必要な処理を施す第２の音声処理部を更に備えることが好ましい。
【００１５】
また前記通信手段は、High Definition Multimedia Interface（ＨＤＭＩ）規格に準拠した信号線であることが好ましい。
前記映像音声再生装置はテレビジョン受像機、前記音響再生装置はオーディオアンプであることが好ましい。
【００１６】
また、上記目的を達成するため本発明に係る映像音声再生装置は、外部スピーカから音声を出力する音響再生装置と共に映像音声視聴システムを構成し、音声入力選択部により複数の音声信号から選択された音声信号を、前記音響再生装置の外部スピーカおよび自己の内部スピーカのいずれか一方へ出力する映像音声再生装置であって、
前記選択された音声信号を入力として前記内部スピーカへの出力を制御する音声出力制御部と、少なくとも前記音声出力制御部を制御する制御部とを備え、
前記制御部は、前記通信手段を介して前記音響再生装置の制御部と相互に通信して制御信号情報を受信可能で、且つ前記音響再生装置との通信状態を監視しており、前記通信手段を介して得られる前記音響再生装置の電源オン・オフ状態に基づく制御信号情報、または前記通信手段の通信状態の監視により得られる通信可能・不能情報に基づいて、前記音声出力制御部を制御するように構成され、
前記音声出力制御部は、前記制御部の制御に対応して前記選択された音声信号を前記内部スピーカへ出力するか否かを制御する。
【００１７】
また、上記目的を達成するため本発明に係る音響再生装置は、外部スピーカに音声信号を出力するための音声出力制御部と、映像信号および音声信号の発生機能を有する第１の外部装置から映像信号および音声信号を入力する信号入力部と、内部スピーカを有し映像および音声を出力可能な第２の外部装置に対して映像信号および音声信号を出力する信号出力部と、電源オン・オフ操作に基づき制御され電源オフ状態はスタンバイ状態である電源回路と、少なくとも前記各部を制御する制御部とを備えた音響再生装置であって、
前記信号入力部および信号出力部は、第１の外部装置から映像信号および音声信号を受信し、第２の外部装置に対して映像信号および音声信号を送信する伝送機能を有しており、この伝送機能は前記電源オフのスタンバイ状態においても行い得るものであり、
前記電源オン状態において、前記制御部は、前記信号入力部および前記信号出力部を介した映像信号および音声信号の送受信による伝送を行い得ると共に、前記音声出力制御部の制御により第１の外部機器から入力した音声信号を外部スピーカに出力可能とするように構成され、
前記電源回路の電源オン状態から電源オフ状態に変化した場合、前記制御部は、第１の外部機器から入力した音声信号を外部スピーカに出力しないよう前記音声出力制御部を制御し、前記信号入力部および前記信号出力部による映像信号および音声信号の送受信による伝送を行い得ると共に、電源オフ情報の制御コマンドを発生して前記第２の外部装置の制御手段に対して送信するように構成され、
前記電源オフ状態に基づく前記制御コマンドの送信により第２の外部機器の内部スピーカからの音声出力を制御可能とした。
【発明の効果】
【００１８】
本発明は、内部スピーカと外部スピーカの何れか一方から音声出力する映像音声視聴システムにおいて、音声を出力させる際に、内部スピーカと外部スピーカの選択性を改善し、ユーザによる選択の操作性を改善し、操作の煩わしさを軽減できる。
【発明を実施するための最良の形態】
【００１９】
本発明の実施の形態について図面を参照して具体的に述べる前に、先ず本発明に係る映像音声視聴システムの動作原理について説明する。上述のように、本発明は従来の映像音声再生装置が有する内部スピーカおよびオーディオアンプに接続された外部スピーカのうち使用するスピーカの選択の操作性の改善と共に、オーディオアンプの電源操作や音量調整に要する操作性を改善し、操作の煩わしさを低減することを目的としている。
【００２０】
この目的を達成するために、本発明においては、映像音声視聴システムを構成する内部スピーカを有するＴＶがオン状態時に、外部スピーカが接続されているオーディオアンプの電源を、ユーザがオン又はオフ操作を行った際に、内部スピーカおよび外部スピーカの何れかが自動的に選択される。そして、選択されたスピーカは音声を出力するように制御され、選択されなかったスピーカは音声を出力しない（消音）ように制御される。つまり、内部スピーカと外部スピーカの何れか一方からのみ音声が出力される。
（実施の形態１）
【００２１】
以下に、図１、図２、図３、図４、および図５を参照して、本発明の実施の形態１に係る映像音声視聴システムについて説明する。図１は、映像音声視聴システムの構成を示す。映像音声視聴システムＶＡ１は、オーディオアンプ１００ＡおよびＴＶ２００Ａを含む。オーディオアンプ１００Ａは音響再生装置であり、ＴＶ２００Ａは映像音声再生装置である。
【００２２】
ＴＶ２００Ａは、ＴＶチューナ２０１、音声入力選択部（以下、「ＡＩＳ」と称する）２０２、音声処理部２０３Ａ、音量制御部２０４、内部スピーカ２０５、制御部２０６Ａ、映像入力選択部（以下、「ＶＩＳ」と称する）２１０、映像処理部２１１Ａおよびディスプレイ２１２を含む。また入力端子２０９には、外部機器であり、衛星放送やＣＡＴＶの信号を受信するセットトップボックス（以下、「ＳＴＢ」と称する）２１４が接続されている。更に入力端子２０８は、映像信号および音声信号の伝送手段であるコード７００を介してオーディオアンプ１００Ａの出力端子１０８と接続されている。
【００２３】
オーディオアンプ１００Ａは、ＡＩＳ１０２、音声処理部１０３Ａ、音声制御部１０４、制御部１０６Ａ、ＶＩＳ１１０、リモコン受信部１１３、操作ボタン１１４および電源１１５を含む。また端子１０９には、外部機器であるビデオデッキ４００、ＤＶＤプレーヤ５００ＡおよびＣＤプレーヤ６００が接続されている。制御部１０６Ａは、制御部２０６Ａと同様に、好ましくはマイクロコンピュータ(以下、「マイコン」と略称する)で構成される。なお、オーディオアンプ１００Ａには、外部スピーカとしてマルチチャンネルスピーカ１０５が接続されている。なお、説明の便宜上、マルチチャンネルスピーカ１０５を外部スピーカ１０５とも呼称するものとする。
【００２４】
内部スピーカ２０５を有するＴＶ２００Ａの電源がオン状態時において、オーディオアンプ１００Ａの電源がオン・オフ状態に基づいて、先ずＴＶ２００Ａの内部スピーカ２０５からの音声出力の可否が決定される。つまり、オーディオアンプ１００Ａは電源のオン・オフ状態に基づき制御信号（コマンド）を生成して、ＴＶ２００Ａに送信する。この制御信号に基づいて、ＴＶ２００Ａは内部スピーカ２０５からの音声出力の可否を決定し、同決定に従い必要とされる音声処理を実行する。
【００２５】
ユーザがオーディオアンプ１００Ａをオンにする行為は、ユーザはオーディオアンプ１００Ａに接続されている外部スピーカ（マルチチャンネルスピーカ）１０５からの音声出力を可能にする行為である。つまり、内部スピーカ２０５および外部スピーカ１０５の何れか一方のみの音声出力を可能にする本発明においては、オーディオアンプ１００Ａをオンにする行為は、ユーザが外部スピーカからの音声聴取を望んでいる意志の現れと見なすことが出来る。
【００２６】
この理解に基づいて、オーディオアンプ１００Ａの電源がオンにされた場合には、ＴＶ２００Ａの内部スピーカ２０５からの音声出力は否と決定される。従って、内部スピーカ２０５からの音声出力を禁じる或いは消音する為の処理が実行される。なお、外部スピーカ１０５は、オーディオアンプ１００Ａの電源オンによって、自動的に音声出力が可能となるので、特段の処理は不要である。
【００２７】
以下に、本発明に係る内部スピーカ２０５に対する処理について説明する前に、ＴＶ２００Ａおよびオーディオアンプ１００Ａによる映像音声再生の基本動作について
具体的に説明する。
【００２８】
ＴＶ２００Ａにおいて、ＡＩＳ２０２は、制御部２０６Ａの制御に基づいて、ＴＶに内蔵されたＴＶチューナ２０１、ＳＴＢ２１４、およびオーディオアンプ１００Ａの出力端子１０８から出力される音声信号から１つの音声信号を選択する。なお、制御部２０６Ａへの指示は、後述するようにリモコン等を用いたユーザの操作によって行われる。音声処理部２０３Ａは、ＡＩＳ２０２で選択された音声信号Ｓａ１に必要な処理を施す。
【００２９】
音量制御部２０４は、内部スピーカ２０５から音声出力される音声がユーザが指定した音量になるように、音声処理部２０３Ａから出力された音声信号Ｓａ２に処理を施す。なお、この音量制御部２０４により制御される音量には、内部スピーカ２０５からの音声が実質的に出力されない「消音状態」となるミューティングされたレベルも含まれる。なお、ＡＩＳ２０２から出力された音声信号Ｓａ１は、コード８００を介して端子２０９からオーディオアンプ１００Ａの入力端子１０９にも伝送される。
【００３０】
ＶＩＳ２１０は、制御部２０６Ａの制御に基づいて、ＴＶチューナ２０１、ＳＴＢ２１４、およびオーディオアンプ１００Ａの出力端子１０８から出力される映像信号から１つの映像信号を選択的に出力する。制御部２０６Ａによる上述のＡＩＳ２０２による音声信号の選択およびＶＩＳ２１０による映像信号の選択制御は、ユーザがリモコンなどの手段（不図示）を用いてＴＶ２００Ａに与える指示に基づいて実行される。
【００３１】
映像処理部２１１Ａは、ＶＩＳ２１０から出力された映像信号に基づいてをディスプレイ２１２により映像表示可能な処理が施された映像信号を生成する。映像処理部２１１Ａからディスプレイ２１２に映像信号が入力される。ディスプレイ２１２は、入力された映像信号に基づいて映像表示する。
【００３２】
制御部２０６Ａは、好ましくはマイコンで構成される。制御部２０６Ａは、破線（一部省略）の矢印で示すようにＡＩＳ２０２や音量制御部２０４などの各構成要素と接続され種々の信号を交換して、それぞれの構成要素の動作を制御する。ここで、制御部２０６Ａは、各構成要素の動作制御に対応して、複数の部分に分割されていても良い。
【００３３】
制御部２０６Ａは、通信手段３００によって、オーディオアンプ１００Ａの制御部１０６Ａに接続されている。そして、制御部２０６Ａは、通信手段３００を介して、制御部１０６Ａから制御信号Ｓｃ１を受信する。なお、制御信号Ｓｃ１は、ユーザの指示やオーディオアンプ１００Ａの状態に応じて、ＴＶ２００Ａに対して所定の処理を指示するコマンドとして、制御部１０６Ａによって生成されるが、これについては後ほど詳述する。
【００３４】
制御部２０６Ａは、受信した制御信号Ｓｃ１を解析して、当該制御信号Ｓｃ１のコマンド（指示）の内容を認識する。そして、認識したコマンドに従い、所定の処理を行うべく、ＴＶ２００Ａの各構成要素の動作を制御する。
【００３５】
次に、オーディオアンプ１００Ａによる動作について述べる。図１において破線（一部省略）で示されるように、制御部１０６Ａは、ＡＩＳ１０２や音量制御部１０４などの各構成要素と接続され種々の信号を交換して、それぞれの構成要素の動作を制御する。また制御部１０６Ａは、操作ボタン１１４からの信号、あるいはリモコン受信部１１３から入力されるリモコン信号を解析し、電源１１５から各部に供給される電力を電源スイッチ１１６によりオン・オフ制御する。ここで、制御部１０６Ａは、制御部２０６Ａと同様、各構成要素の動作制御に対応して、複数の部分に分割されていても良い。
【００３６】
ＡＩＳ１０２は、制御部１０６Ａの制御に基づいて、ビデオデッキ４００、ＤＶＤプレーヤ５００Ａ、ＣＤプレーヤ６００、およびＴＶ２００Ａから出力された音声信号から１つの音声信号を選択的に出力する。音声処理部１０３Ａは、ＡＩＳ１０２から出力された音声信号Ｓｂ１に対して、デジタルサラウンドデコーダにより所定の音声処理を施して音声信号Ｓｂ２を生成する。
【００３７】
音量制御部１０４は、外部スピーカ１０５から出力される音声がユーザにより指定された音量になるように音声信号Ｓｂ２に処理を施して外部スピーカ１０５に出力する。
【００３８】
ＶＩＳ１１０は、制御部１０６Ａの制御に基づいて、ビデオデッキ４００とＤＶＤプレーヤ５００Ａから出力された映像信号から１つ映像信号を選択的に出力する。ＶＩＳ１１０から出力された映像信号は、出力端子１０８からＴＶ２００Ａの入力端子２０８へ伝送される。なお、ＶＩＳ１１０によって選択される映像信号およびＡＩＳ１０２によって選択される音声信号の信号源は同一である。つまり、同一の信号源とは、映像信号および音声信号を有するビデオデッキ４００またはＤＶＤプレーヤ５００Ａの何れかである。
【００３９】
なお、ＴＶ２００Ａの制御部２０６Ａとオーディオアンプ１００Ａの制御部１０６Ａは、後述するＨＤＭＩ（High Definition Multimedia Interface）規格のオプション規格であるConsumer Electronics Control（ＣＥＣ）に準拠したコマンドを、通信手段３００を介して相互に送受信できるように構成してもよい。
【００４０】
オーディオアンプ１００Ａの制御部１０６ＡおよびＴＶ２００Ａの制御部２０６Ａには、電源スイッチ１１６（ＴＶ２００Ａ側は図示せず）がオフ状態の場合にも、常に一定の電力が供給されている。これは、内部スピーカ２０５やマルチチャンネルスピーカ１０５から音声を出力していない状態、いわゆるスタンバイ状態においても制御信号を受信できるようにするためである。
【００４１】
スタンバイ状態においては、ＡＩＳ１０２およびＶＩＳ１１０には、映像信号および音声信号を選択するために最低限必要な電力が供給さる。同様に、ＡＩＳ２０２およびＶＩＳ２１０にも映像信号および音声信号を選択するために最低限必要な電力が供給される。なお、内部スピーカ２０５から音声を出力する場合には、ＴＶ２００Ａに内蔵された電源（不図示）から音声処理部２０３Ａや音量制御部２０４に必要な電力が供給される。
【００４２】
以下に、図２、図３、図４、および図５を参照して、本実施の形態に係る映像音声視聴システムＶＡ１による内部スピーカ２０５の制御方法について具体的に説明する。図２は図１と同様に映像音声視聴システムＶＡ１の構成を示しているが、テレビ放送が再生される場合の内部スピーカ２０５の制御方法を説明するに当たっての便宜上、ＳＴＢ２１４とオーディオアンプ１００Ａのビデオデッキ４００、ＤＶＤプレーヤ５００Ａ、およびＣＤプレーヤ６００が図示されていない。
【００４３】
図３のフローチャートは、オーディオアンプ１００Ａの電源のオン・オフに関連した内部スピーカ２０５の制御のための、制御部１０６Ａの制御動作（コマンド生成）を示す。図４のフローチャートは、オーディオアンプ１００Ａの制御部１０６Ａの制御動作に対応したＴＶ２００Ａの制御部２０６Ａの制御動作を示す。
【００４４】
図５は、図１と同様に映像音声視聴システムＶＡ１の構成を示しているが、ＤＶＤが再生される場合の内部スピーカ２０５の制御方法の説明の便宜上、ＳＴＢ２１４とオーディオアンプ１００Ａのビデオデッキ４００、およびＣＤプレーヤ６００が図示されていない一方、ＤＶＤプレーヤ５００Ａの内部構成が図示されている。
【００４５】
制御部１０６Ａが、ユーザの指示やオーディオアンプ１００Ａの状態に応じて、ＴＶ２００Ａに対するコマンドとして制御信号Ｓｃ１を出力することは上述の通りである。なお、制御部１０６Ａは、電源スイッチ１１６の動作を制御すると共に、そのオン・オフ状態に応じた制御信号Ｓｃ１を生成する。そして、この制御信号Ｓｃ１に基づいて、ＴＶ２００Ａは内部スピーカ２０５の音量を調整する。この場合の制御信号Ｓｃ１は内蔵スピーカ２０５の音量調整を指示するコマンド（以降、「音量制御コマンド」という）である。
【００４６】
そして、音量制御コマンドは、内蔵スピーカ２０５に対する音量調整の指示内容によって、さらに、消音コマンドと消音解除コマンドに分類できる。つまり、内部スピーカ２０５の音量を増大させる場合は、制御信号Ｓｃ１は制御部２０６Ａに対して消音解除を指示する消音解除コマンドである。同様に、内部スピーカ２０５の音量を減少させる場合には、制御信号Ｓｃ１は制御部２０６Ａに対して消音を指示する消音コマンドである。
【００４７】
以下に、映像音声視聴システムＶＡ１による内部スピーカ２０５の制御について、＜テレビ放送の音声が再生される場合＞と＜ＤＶＤが再生される場合＞のそれぞれについて説明する。
【００４８】
＜テレビ放送の音声が再生される場合＞
上述のように、本発明においては、映像音声視聴システムＶＡ１の内部スピーカ２０５がオン状態時、つまりＴＶ２００Ａが電源オン状態時に、ユーザにより外部スピーカ１０５に接続されているオーディオアンプ１００Ａの電源１１５のオン・オフ操作に基づいて、内部スピーカ２０５および外部スピーカ１０５の何れかが自動的に選択される。つまり、本発明による内部スピーカ２０５の制御は、ＴＶ２００Ａが電源オン状態で、オーディオアンプ１００Ａの電源１１５がオン・オフされた時に開始する。
【００４９】
つまり、本発明による内部スピーカ２０５の制御が開始される前は、ＴＶ２００Ａは電源オン状態である。このとき、ＡＩＳ２０２は、制御部２０６Ａの指示に基づいて、ＴＶチューナ２０１から出力された音声信号を選択する。音声処理部２０３Ａは選択された音声信号Ｓａ１に基づいて、音声信号Ｓａ２を生成する。音声信号Ｓａ２は音量制御部２０４を経て、内部スピーカ２０５から指定された音量の音声として出力されている。
【００５０】
一方、ＶＩＳ２１０は、制御部２０６Ａの指示に基づいて、ＴＶチューナ２０１から出力された映像信号を選択する。選択された映像信号は映像処理部２１１Ａで必要な処理が施される。映像処理部２１１Ａから出力された映像信号はディスプレイ２１２に映像として表示されている。
【００５１】
上述のように、ユーザはＴＶ２００Ａの内部スピーカ２０５からの音声出力を楽しんでいる状態において、ＴＶチューナ２０１から出力される音声がマルチチャンネル放送音声に切り替わった場合について考える。この場合、ユーザは、内部スピーカ２０５ではなくオーディオアンプ１００Ａのマルチチャンネルスピーカ１０５を使用して迫力ある音響を楽しむために、オーディオアンプ１００Ａの電源１１５をオンにした時点で、内部スピーカ２０５の制御が開始される。
【００５２】
以下に、図３を参照して、オーディオアンプ１００Ａの電源１１５のオン・オフに関連した制御部１０６Ａの動作について具体的に説明する。
【００５３】
ステップＳ３０１において、制御部１０６Ａは、リモコンコマンドを解析して、コマンドの指示内容に応じて、電源１１５のオン・オフ制御を行う。
【００５４】
ステップＳ３０２において、電源１１５が「オン状態」であると判断されると、制御部１０６Ａの制御はステップＳ３０３に進む。
【００５５】
ステップＳ３０３において、制御部１０６Ａは、ＴＶ２００Ａの内部スピーカ２０５から音声を出力させないために、制御信号Ｓｃ１を消音コマンドとして生成する。制御信号Ｓｃ１（消音コマンド）は、通信手段３００を介してＴＶ２００Ａの制御部２０６Ａに入力される。
【００５６】
一方、上述のステップＳ３０２において、電源１１５が「オフ状態」であると判断されると、制御部１０６Ａの制御はステップＳ３０４に進む。
【００５７】
ステップＳ３０４において、制御部１０６ＡはＴＶ２００Ａの内部スピーカ２０５から音声を出力させるために、制御信号Ｓｃ１を消音解除コマンドとして生成する。制御信号Ｓｃ１（消音解除コマンド）は、通信手段３００を介してＴＶ２００Ａの制御部２０６Ａに入力される。
【００５８】
上述のフローチャートにおいて、電源１１５のオンは、ユーザによるリモコンの電源ボタンの押下により実行される。つまり、リモコンボタンの押下に応答して、受信部１１３より電源操作リモコンコマンドが制御部１０６Ａに入力される。
【００５９】
次に、図４を参照して、オーディオアンプ１００Ａの制御部１０６Ａの動作に対応したＴＶ２００Ａの制御部２０６Ａの動作について説明する。先ず、ステップＳ４０１において、制御部２０６Ａに入力された制御信号Ｓｃ１が、音量制御コマンド、つまり上述のステップＳ３０３またはＳ３０４で制御部２０６Ａに入力された制御信号Ｓｃ１であるか否が判断される。音量制御コマンドでない場合は、ステップＳ４０２において、入力されたコマンドに応じた処理が行われる。一方、上述のステップＳ４０１において、入力された制御信号Ｓｃ１が音量制御コマンドであると判断される場合には、制御はステップＳ４０３に進む。
【００６０】
ステップＳ４０３において、音量制御コマンドが消音コマンドおよび消音解除コマンドのいずれであるかが判断される。消音コマンドであると判断される場合は、ステップＳ４０４において内部スピーカ２０５からの音声出力が消音される。
【００６１】
ステップＳ４０３において、消音解除コマンドであると判断される場合は、ステップＳ４０５において内部スピーカ２０５か音声出力が消音解除される。
【００６２】
ユーザによるリモコンの電源ボタンの押下により、電源１１５のオンが実行されている（ステップＳ３０１）ので、電源１１５はオン状態と判断され（ステップＳ３０２）、そして制御部２０６Ａには消音コマンドである制御信号Ｓｃ１が送信される（ステップＳ３０３）。
【００６３】
さらに、制御部２０６Ａでは制御部１０６Ａから送信された制御信号Ｓｃ１が音量制御コマンドの消音コマンドであると判断（ステップＳ４０１およびＳ４０３）され、内部スピーカ２０５が消音される（ステップＳ４０４）。このようにして、ユーザによるオーディオアンプ１００Ａの電源１１５のオン操作により、内部スピーカ２０５は消音されて外部スピーカ１０５から音声が出力される。
【００６４】
より具体的に言えば、ＴＶ２００ＡのＡＩＳ２０２から出力された音声信号Ｓａ１は、端子２０９、コード８００および端子１０９を介してオーディオアンプ１００ＡのＡＩＳ１０２にも入力される。オーディオアンプ１００Ａが「電源オン状態」になった場合、ＡＩＳ１０２は、制御部１０６Ａの指示に基づいてＴＶチューナ２０１から出力された音声信号を選択する。ＴＶチューナ２０１からの音声信号Ｓｂ１（音声信号Ｓａ１と同じ）は、音声処理部１０３Ａによりマルチチャンネル化など所定の処理が施されて音声信号Ｓｂ２となる。音声信号Ｓｂ２は音量制御部１０４により音量調節された後、マルチチャンネルスピーカ１０５から出力される。
【００６５】
次に、上述したように、オーディオアンプ１００Ａが「電源オン」で内部スピーカ２０５が消音されて、外部スピーカ１０５から音声出力されている状態で、ユーザがオーディオアンプ１００Ａの電源をオフにしようと、例えば操作ボタン１１４の中の電源ボタンを押した場合について説明する。制御部１０６Ａは、図３のステップＳ３０１においてそのボタン操作を解析する。制御部１０６Ａは、解析結果に基づいて電源をオフにする指示があったと判定し、電源スイッチ１１６をオフにすることにより、オーディオアンプ１００Ａを「電源オフ状態」にする。
【００６６】
ステップＳ３０２において「電源オフ状態」であると判断され、ステップＳ３０４においてＴＶ２００Ａの内部スピーカ２０５から音声が出力させるために消音解除コマンドとして制御信号Ｓｃ１が制御部２０６Ａに対して送信される。
【００６７】
さらに、制御部２０６Ａでは制御部１０６Ａから送信された制御信号Ｓｃ１が音量制御コマンドの消音解除コマンドであると判断（ステップＳ４０１およびＳ４０３）されて、内部スピーカ２０５が消音解除される（ステップＳ４０５）。このようにして、ユーザによるオーディオアンプ１００Ａの電源１１５のオフ操作により、内部スピーカ２０５は消音解除されて内部スピーカ２０５から音声が出力される。この時、オーディオアンプ１００Ａは「電源オフ状態」になっているため、マルチチャンネルスピーカ１０５から音声が出力されることはない。
【００６８】
このように、オーディオアンプ１００Ａの電源スイッチ１１６がオンの時は、ＴＶ２００Ａに内蔵されたＴＶチューナ２０１の音声がオーディオアンプ１００Ａのマルチチャンネルスピーカ１０５から出力される。結果、ＴＶ２００Ａの内部スピーカ２０５からは音声が出力されなくなる。
【００６９】
逆に、オーディオアンプ１００Ａの電源スイッチ１１６がオンからオフにされた時は、マルチチャンネルスピーカ１０５から音声は出なくなる。そして、ＴＶ２００Ａの内蔵ＴＶチューナ２０１の音声は内部スピーカ２０５から出力される。
【００７０】
以上、内部ＴＶチューナ２０１でＴＶ放送を視聴している場合について説明したが、入力端子２０９に接続されたＳＴＢ２１４で受信したＴＶ放送を再生する場合も同様の効果が得られる。
【００７１】
＜ＤＶＤが再生される場合＞
図３、図４、および図５を参照して、ＤＶＤに記録されたコンテンツをＤＶＤプレーヤ５００Ａで再生する場合の内部スピーカ２０５の制御について説明する。上述のように、図５では図１に示したＳＴＢ２１４およびビデオデッキ４００とＣＤプレーヤ６００との表示が割愛されている。
【００７２】
まず、オーディオアンプ１００Ａの電源スイッチ１１６がオフにされて「電源オフ状態」となっている場合について説明する。ＶＩＳ１１０は、制御部１０６Ａの指示に基づいて、ＤＶＤプレーヤ５００Ａから出力された映像信号を選択する。ＶＩＳ１１０から出力された映像信号は、出力端子１０８および入力端子２０９を経由してＴＶ２００ＡのＶＩＳ２１０に入力される。その後の処理は、ＴＶチューナ２０１で受信したＴＶ放送を再生する場合と同様であるため、説明を省略する。
【００７３】
一方、ＡＩＳ１０２は、制御部１０６Ａの指示に基づいて、複数の音声信号のうちＤＶＤプレーヤ５００Ａから出力された音声信号を選択する。ＡＩＳ１０２から出力された音声信号Ｓｂ１は出力端子１０８および入力端子２０８を経由してＴＶ２００ＡのＡＩＳ２０２に入力される。ＡＩＳ２０２はＤＶＤプレーヤ５００Ａからの音声信号Ｓｂ１を選択する。
【００７４】
ＡＩＳ２０２から出力された音声信号Ｓａ１（音声信号Ｓｂ１と同じ）は、音声処理部２０３Ａで必要な処理を施されて音声信号Ｓａ２となる。音声信号Ｓａ２は音量制御部２０４で音量調整された後に、内部スピーカ２０５から音声として出力される。この時、オーディオアンプ１００Ａは「電源オフ状態」となっているため、オーディオアンプ１００Ａに接続されているマルチチャンネルスピーカ１０５から音声は出力されない。
【００７５】
次に、オーディオアンプ１００Ａのマルチチャンネルスピーカ１０５を使用して迫力ある音響を楽しむ場合について説明する。ユーザは、例えばオーディオアンプ１００Ａのリモコン（図示せず）の電源ボタンを押す。リモコン受信部１１３より電源操作リモコンコマンドが制御部１０６Ａに入力される。制御部１０６Ａはそのコマンドを解析する（図３のステップＳ３０１）。制御部１０６Ａは、電源１１５をオンにする指示があると判断した場合は、電源スイッチ１１６をオン制御してオーディオアンプ１００Ａを「電源オン状態」にする。この時、制御部１０６Ａは、ＴＶ２００Ａの内部スピーカ２０５から音声が出力されないようにするために、通信手段３００を介してＴＶ２００Ａの制御部２０６Ａに、消音コマンドを送信する（図３のステップＳ３０２およびＳ３０３）。
【００７６】
消音コマンドを受信したＴＶ２００Ａの制御部２０６Ａは、音量制御部２０４を制御して内部スピーカ２０５から音声が出ないようにする（図４のステップＳ４０１，Ｓ４０２、およびＳ４０３）。
【００７７】
ＡＩＳ１０２は、制御部１０６Ａの指示に基づいて、ＤＶＤプレーヤ５００Ａから出力された音声信号を選択する。ＡＩＳ１０２から出力された音声信号Ｓｂ１は音声処理部１０３Ａで必要な処理を施されて音声信号Ｓｂ２となる。音声信号Ｓｂ２は音量制御部１０４で音量調整された後、マルチチャンネルスピーカ１０５から音声として出力される。
【００７８】
次に、ユーザがオーディオアンプ１００Ａの電源をオフにするため、例えば操作ボタン１１４の中の電源ボタンを押した場合について説明する。制御部１０６Ａはそのボタン操作を解析し、電源スイッチ１１６をオフ制御してオーディオアンプ１００Ａを「電源オフ状態」にする（図３のステップＳ３０１）。この時、制御部１０６Ａは、ＴＶ２００Ａの内部スピーカ２０５から音声が出力されるようにするために、通信手段３００を介してＴＶ２００Ａの制御部２０６Ａに、内部スピーカ２０５の音量を元に戻す消音解除コマンドを送信する（図３のステップＳ３０２およびＳ３０４）。このコマンドを受信した制御部２０６Ａは、音量制御部２０４を制御し、消音状態を解除して内部スピーカ２０５から音声が出力されるようにする（図４のステップＳ４０１，Ｓ４０３、Ｓ４０５）。
【００７９】
従って、オーディオアンプ１００Ａの電源スイッチ１１６が入って電源がオンの時は、ＤＶＤプレーヤ５００Ａの音声がオーディオアンプ１００Ａのマルチチャンネルスピーカ１０５から出力される。またそれと同時に、ＴＶ２００Ａの内部スピーカ２０５からは音声が出なくなる。逆に、オーディオアンプ１００Ａの電源スイッチ１１６がオフの時は、マルチチャンネルスピーカ１０５から音声は出なくなり、ＤＶＤプレーヤ５００Ａの音声はＴＶ２００Ａの内部スピーカ２０５から出力される。
【００８０】
なお、本実施の形態においては、ユーザがオーディオアンプ１００Ａのリモコン等を用いてオーディオアンプ１００Ａの電源スイッチ１１６をオン・オフ制御することにより電源をオン・オフした。しかしＴＶ２００Ａ用のリモコンを用いて、オーディオアンプ１００Ａの電源スイッチ１１６のオン・オフを切り換えることも可能である。具体的には、ＴＶ２００Ａ用のリモコンを用いてオーディオアンプ１００Ａの電源操作リモコンコマンドを制御部２０６Ａに入力する。制御部２０６Ａはそのコマンドを解析し、図５に示すようにオーディオアンプ１００Ａの制御部１０６Ａに対して電源スイッチ１１６のオン・オフを指示する制御信号Ｓｃ２を送る。
【００８１】
このような操作方法を用いた場合、ＴＶ２００Ａのディスプレイ２１２に表示されたＧＵＩメニューなどを用いてオーディオアンプ１００Ａの電源スイッチ１１６のオン・オフの切り換えができる。結果、ＴＶ用のリモコンを操作するだけでスピーカの切り換えが行えるため、本システムの操作性が更に改善される。
【００８２】
同様に、本システムに接続された外部機器の制御部からオーディオアンプ１００Ａの電源のオン・オフを指示する制御信号をオーディオアンプ１００Ａの制御部１０６Ａに送るようにしてもよい。例えば、図５に示すようにＤＶＤプレーヤ５００Ａの制御部５０１から、オーディオアンプ１００Ａの制御部１０６Ａに電源スイッチ１１６のオン・オフを指示する制御信号Ｓｃ３を送る。このようにすれば、ＤＶＤプレーヤ５００Ａの操作だけでスピーカの切り換えが行えるため、ＴＶのリモコンを用いる場合と同様の効果を得ることができる。
【００８３】
以上説明したように、本実施の形態では、オーディオアンプ１００Ａの電源スイッチ１１６のオン・オフ操作だけで、ＴＶ２００Ａの内部スピーカ２０５とオーディオアンプ１００Ａのマルチチャンネルスピーカ１０５の切り換えが自動的に行われる。結果、ユーザに要求される個々のスピーカの選択の操作性を改善し、操作の煩わしさを軽減する映像音声視聴システムを提供できる。
【００８４】
なお、本実施の形態において、ＴＶ２００Ａの音量制御部２０４は本発明の音声出力制御部の一例である。内部スピーカ２０５から音声が出力されるのを阻止するため、音量制御部２０４は消音、すなわち音量を絞る方法を採用したが、これに限定されるものではない。
【００８５】
例えば、音声出力制御部として、音量を絞る機能以外に、内部スピーカ２０５との間の信号の伝達を遮断する機能を備えたものを用いる。また、制御部２０６Ａの指示に基づいて音声出力制御部内のスイッチ等を切断することにより、内部スピーカ２０５から音声が出力されるのを完全に阻止することができる。更に、制御部２０６Ａの指示に基づいてＡＩＳ２０２を制御し、ＡＩＳ２０２から音声信号が出力されるのを阻止することによっても、内部スピーカ２０５からの音声出力を阻止することができる。オーディオアンプ１００Ａの音量制御部１０４についても、音量制御部２０４と同様である。
【００８６】
また本実施の形態において、ＡＩＳ２０２とＡＩＳ１０２は本発明の音声入力選択部の一例である。本実施の形態では、ＴＶ２００Ａとオーディオアンプ１００Ａの各々に音声入力選択部を設けたが、映像信号および音声信号の発生源に対応してＴＶ２００Ａおよびオーディオアンプ１００Ａのいずれか一方にのみ設けてもよい。更に、音声入力選択部をＴＶ２００Ａおよびオーディオアンプ１００Ａとは別に設け、その出力をＴＶ２００Ａおよびオーディオアンプ１００Ａの入力と接続するようにしてもよい。
【００８７】
また、本実施の形態では、オーディオアンプは、ＴＶに対し制御信号によって音量の制御を直接指示しているが、オーディオアンプの電源状態やそれに代わる予め定義された制御信号を通知し、その情報を基にＴＶが音量を制御するようにしてもよい。
【００８８】
また、本実施の形態では、オーディオアンプ１００Ａの電源スイッチ１１６のオンとオフのそれぞれに対応した制御信号を生成するようにしているが、電源スイッチのオン、あるいはオフのどちらか一方の変化だけに対応した制御信号を生成するようにしてもよい。
【００８９】
（実施の形態２）
図６を参照して、本発明の実施の形態２に係る映像音声視聴システムについて説明する。図６において、図１に示した映像音声視聴システムＶＡ１の構成要素と同一の機能を有する部分には同一の符号を付し、詳細な説明は省略する。
【００９０】
つまり、本実施の形態に係る映像音声視聴システムＶＡ２は、ＴＶ２００Ｂとオーディオアンプ１００Ｂ、更にオーディオアンプ１００Ｂと外部機器であるＤＶＤプレーヤ５００ＢおよびＤＶＤレコーダ７００は、ＨＤＭＩ規格に準拠したケーブル９００（以下、「ＨＤＭＩケーブル」と称する）で接続されている。ＨＤＭＩケーブル９００を用いることで、音声信号および映像信号を伝送するラインと、ＣＥＣ規格に準拠した制御信号を送信するラインを一本のケーブルに含めることができる。結果、機器間の接続が容易になる。
【００９１】
最初に、ＨＤＭＩケーブル９００を介しての信号の伝送について簡単に説明する。図６において、例えばＤＶＤプレーヤ５００Ｂから出力された映像信号および音声信号は、ＨＤＭＩケーブル９００を介してオーディオアンプ１００Ｂへ伝送される。同様に、オーディオアンプ１００Ｂから出力された映像信号および音声信号はＨＤＭＩケーブル９００を介してＴＶ２００Ｂへ伝送される。ＴＶ２００Ｂ、ＡＶアンプ１００Ｂ、およびＤＶＤプレーヤ５００Ｂは、ＨＤＭＩケーブル９００を介して前述したＣＥＣに準拠した制御コマンド（以下、「ＣＥＣ信号」という）を、相互に送受信することができる。このＣＥＣ信号は、映像音声視聴システムＶＡ１における制御信号Ｓｃ１と同様に、音量制御コマンドとして使用される。
【００９２】
ＨＤＭＩケーブル９００は、ＣＥＣ信号を伝送するＣＥＣライン９０１と映像信号および音声信号を伝送する映像・音声ライン９０２で構成されている。ＴＶ２００Ｂ、オーディオアンプ１００ＢおよびＤＶＤプレーヤ５００Ｂの各制御部２０６Ｂ、１０６Ｂおよび５０１Ｂは、ＣＥＣライン９０１を介してＣＥＣ信号を相互に送受信できる。一方、各機器は、映像・音声ライン９０２を介して、ＨＤＭＩ受信部およびＨＤＭＩ送信部の間で映像信号および音声信号を伝送できる。
【００９３】
なお、著作権保護の観点から、ＨＤＭＩケーブル９００上にスクランブルが解かれた映像信号や音声信号が存在しないようにするため、映像信号および音声信号はＨＤＭＩ受信部およびＨＤＭＩ送信部を介して伝送される。また、ＨＤＭＩケーブル９００上を伝送される映像信号および音声信号は、基本的にデジタル化された信号である。
【００９４】
次に、ＨＤＭＩケーブル９００に対応して新たに設けられた構成要素について説明する。オーディオアンプ１００Ｂの制御部１０６Ｂは、ＨＤＭＩコネクタ１１７および１１８を介して受信したＣＥＣ信号に応じた処理を行う。例えば、制御部１０６Ｂは、ＨＤＭＩ受信部１１９で受信した音声信号をデジタル音声入力部１２１に出力する。また制御部１０６Ｂは、ＨＤＭＩ受信部１１９で受信した映像信号および音声信号をＨＤＭＩ送信部１２０から再度ＨＤＭＩケーブル９００に出力する。
【００９５】
ＨＤＭＩ受信部１１９は、ＨＤＭＩケーブル９００の映像・音声ライン９０２を介してＤＶＤプレーヤ５００Ｂから送られてきた映像信号および音声信号を、暗号鍵を用いてスクランブルを解除する。一方、ＨＤＭＩ送信部１２０は、ＨＤＭＩ受信部１１９でスクランブルが解除された映像信号および音声信号を、再度暗号鍵によってスクランブルした後、ＨＤＭＩケーブル９００の映像・音声ライン９０２に送り出す。
【００９６】
ＨＤＭＩ受信部２１７は、ＨＤＭＩコネクタ２１５を介して入力された映像信号および音声信号を、暗号鍵を用いてスクランブルを解除する。スクランブルが解除された映像信号は映像処理部２１１Ｂへ出力される。映像処理部２１１Ｂは、映像信号に対しデコード処理および必要な処理を施す。また、スクランブルが解除された音声信号は音声処理部２０３Ｂへ出力される。音声処理部２０３Ｂは、音声信号に対しデコード処理および必要な処理を施す。
【００９７】
なお、本実施の形態では、ＨＤＭＩケーブル９００の映像・音声ライン９０２を利用した映像信号および音声信号の伝送は、オーディオアンプ１００ＢからＴＶ２００Ｂ方向にのみ行われるように設定されている。従って、ＨＤＭＩケーブル９００を利用して、ＴＶ２００Ｂからオーディオアンプ１００Ｂに音声信号を伝送することができない。
【００９８】
このため、ＴＶ２００Ｂからオーディオアンプ１００Ｂに音声信号を伝送する専用のラインが設けられている。具体的には、ＴＶ２００Ｂのデジタル音声出力部２１８から出力された音声信号は、出力端子２０９、コード８００および入力端子１０８を介してオーディオアンプ１００Ｂのデジタル音声入力部１２１に伝送される。デジタル音声出力部２１８およびデジタル音声入力部１２１は、例えば音声信号を光ケーブルを用いて伝送する場合に、電気信号の光信号への変換、および光信号の電気信号への変換を行う機能を備えている。
【００９９】
オーディオアンプ１００ＢのＨＤＭＩ受信部１１９は、上述した機能以外に図１のＡＩＳ１０２およびＶＩＳ１１０と同様の機能を有している。すなわち、制御部１０６Ｂの制御に基づいて、ＨＤＭＩ受信部１１９は、ＤＶＤプレーヤ５００ＢおよびＤＶＤレコーダ７００から転送された映像信号および音声信号のうちのいずれかを選択する。デジタル音声入力部１２１も図１のＡＩＳ１０２と同様の機能を備えている。デジタル音声入力部１２１は、ＨＤＭＩ受信部１１９から出力された音声信号、ＣＤプレーヤ６００から出力された音声信号、および入力端子１０８を介してＴＶ２００Ｂから伝送された音声信号のうちいずれかの音声信号を、制御部１０６Ｂの制御に基づいて選択する。
【０１００】
ＴＶ２００ＢのＨＤＭＩ受信部２１７も、図１のＡＩＳ２０２およびＶＩＳ２１０と同様の機能を備えている。具体的には、ＨＤＭＩ受信部２１７は、制御部２０６Ｂの制御に基づいて、ＨＤＭＩコネクタ２１５に接続されたＢＳデジタルチューナから出力された映像信号および音声信号と、ＨＤＭＩケーブル９００を介してオーディオアンプ１００Ｂから転送された映像信号および音声信号のうちのいずれかを選択する。選択された信号のうち映像信号は、映像処理部２１１Ｂに入力し、音声信号は音声処理部２０３Ｂに入力する。
【０１０１】
次に、ＢＳデジタルチューナ２１６で受信したＴＶ放送の音声信号を、オーディオアンプ１００Ｂのマルチチャンネルスピーカ１０５から出力する場合の各部の動作について説明する。
【０１０２】
図示しないリモコンを用いたユーザの指示に基づき、ＴＶ２００ＢのＨＤＭＩ受信部２１７はＢＳデジタルチューナ２１６の出力を選択する。この場合、音声出力モードとして、ＴＶ放送の音声信号を外部スピーカ１０５から出力するモードが選択されると、図５の制御信号Ｓｃ２と同様、ＴＶ２００Ｂの制御部２０６Ｂよりオーディオアンプ１００Ｂの電源をオンにするＣＥＣ信号が伝送され、オーディオアンプ１００Ｂは制御部１０６Ｂの制御に基づいて電源がオンの状態に設定される。
【０１０３】
ＢＳデジタルチューナ２１６で受信したＴＶ放送に含まれる映像信号は、制御部２０６Ｂの指示に基づいて、ＨＤＭＩ受信部２１７で選択され、映像処理部２１１Ｂに入力される。映像処理部２１１Ｂでデコード処理および必要な処理が施された映像信号は、ディスプレイ２１２に映像として表示される。
【０１０４】
一方、ＴＶ放送に含まれる音声信号は、制御部２０６Ｂの指示に基づいて、ＨＤＭＩ受信部２１７で選択された後、音声処理部２０３Ｂとデジタル音声出力部２１８に入力される。音声処理部２０３Ｂに入力された音声信号Ｓａ３はデコード処理および必要な処理を施されて音声信号Ｓａ４となる。音声信号Ｓａ４は音量制御部２０４に出力される。しかし、本ケースでは、オーディオアンプ１００Ｂのマルチチャンネルスピーカ１０５から音声が出力するように設定されており、音量制御部２０４は、制御部２０６Ｂによって消音状態となるよう制御されているため、内部スピーカ２０５から音声は出力されない。
【０１０５】
デジタル音声出力部２１８から出力された音声信号Ｓａ３は、出力端子２０９、コード８００および入力端子１０８を介してデジタル音声入力部１２１に伝送される。制御部１０６Ｂの指示に基づき、デジタル音声入力部１２１で選択されたＴＶ放送の音声信号Ｓｂ３（音声信号Ｓａ３と同じ）は、音声処理部１０３Ｂにおいてデコードされ、また必要な処理が施されて音声信号Ｓｂ４となる。音声処理部１０３Ｂから出力された音声信号Ｓｂ４は、音量制御部１０４において実施の形態１と同様の処理が施された後、マルチチャンネルスピーカ１０５から音声として出力される。
【０１０６】
上述した本実施の形態の映像音声視聴システムにおいて、オーディオアンプ１００Ｂから送られてくる電源のオン・オフの状態を示すＣＥＣ信号に基づいて、ＴＶ２００Ｂが内部スピーカから音声を出力するか、消音するかを決定する処理は、実施の形態１で説明した処理と同様である。
【０１０７】
まず、オーディオアンプ１００Ｂの電源スイッチ１１６が切れて「電源オフ状態」となっている場合について説明する。この場合、オーディオアンプ１００Ｂはスタンバイ状態にあり、外部スピーカ１０５から音声は出力されない。この状態においても、ＨＤＭＩ受信部１１９およびＨＤＭＩ送信部１２０を介して、ＤＶＤプレーヤ５００ＢまたはＤＶＤレコーダ７００のうち選択された方の映像信号および音声信号が、ＴＶ２００ＢのＨＤＭＩ受信部に伝送され得る。
【０１０８】
例えば、ＤＶＤプレーヤ５００Ｂの映像信号および音声信号を、ＴＶ２００Ｂのディスプレイ２１２および内部スピーカ２０５を用いて再生している状態で、その音声信号をオーディオアンプ１００Ｂの外部スピーカ１０５で出力する場合について説明する。
【０１０９】
まず、オーディオアンプ１００Ｂの電源スイッチ１１６がオンされると、オーディオアンプ１００Ｂはスタンバイ状態である「電源オフ状態」から「電源オン状態」となる。制御部１０６Ｂの制御に基づき、ＨＤＭＩ受信部１１９で選択されたＤＶＤプレーヤ５００Ｂからの音声信号は、デジタル音声入力部１２１、音声処理部１０３Ｂおよび音量制御部１０４を介して、外部スピーカ１０５に伝送され、音声として出力される。また、制御部１０６Ｂは、ＣＥＣライン９０１を介し、ＴＶ２００Ｂの制御部２０６Ｂに対して、消音コマンドに対応するＣＥＣ信号を送信する。ＴＶ２００Ｂの制御部２０６Ｂは、前記ＣＥＣ信号を受信すると、前述した図４のフローに従い、音量制御部２０４を制御して、内部スピーカ２０５から音声が出力されないようにする。
【０１１０】
この結果、外部スピーカ１０５から音声が出力され、内部スピーカ２０５からの音声は出なくなる。すなわち、ユーザにとっては、オーディオアンプ１００Ｂの電源スイッチ１１６をオンにする操作のみで、オーディオアンプ１００Ｂの外部スピーカ１０５を音声が出力できる状態とし、ＴＶ２００Ｂの内部スピーカ２０５を消音状態とすることができる。
【０１１１】
次に、オーディオアンプ１００Ｂが「電源オン状態」から「電源オフ状態」に変わると、ＣＥＣライン９０１を介し、制御部１０６Ｂと制御部２０６Ｂとの間で、消音解除コマンドに対応するＣＥＣ信号が伝送される。結果、外部スピーカ１０５の消音と内部スピーカ２０５への音声出力が行われる。その際の処理は、前述した図３および図４に示すフローチャートに従って行われる。この結果、ユーザにとっては、オーディオアンプ１００Ｂの電源スイッチ１１６をオフにする操作のみで、外部スピーカ１０５を消音状態とし、ＴＶ２００Ｂの内部スピーカ２０５から音声を出力できる状態とすることができる。
【０１１２】
（実施の形態３）
次に、本発明の実施の形態３に係る映像音声視聴システムについて説明する。実施の形態３に係る映像音声視聴システムＶＡ３（不図示）は、図１および図６にそれぞれ示された映像音声視聴システムＶＡ１およびＶＡ２の何れかと基本的に同様に構成できる。しかしながら、本明細書においては、説明の便宜上、映像音声視聴システムＶＡ３は映像音声視聴システムＶＡ２と同じ構成を有するものする。但し、映像音声視聴システムＶＡ３においては、ＴＶの制御部２０６Ｂは、映像音声視聴システムＶＡ２における機能に加えて、オーディオアンプ１００Ｂとの通信状態を監視する機能を備えている。そして、制御部２０６Ｂはその監視の結果に基づき、内部スピーカ２０５から音声を出力するか否かを制御する。
【０１１３】
映像音声視聴システムＶＡ３においても映像音声視聴システムＶＡ２におけるのと同様に、ＴＶ２００Ｂの制御部２０６Ｂは、オーディオアンプ１００Ｂの制御部１０６Ｂから送信された「消音コマンド」又は「消音解除コマンド」の制御信号を含むＣＥＣ信号に基づいて、内部スピーカ２０５から音声を出力するか否かを決めている。しかしながら、映像音声視聴システムＶＡ３においては、ＴＶ２００Ｂの制御部２０６Ｂは、さらにオーディオアンプ１００Ｂとの通信状態を監視し、監視結果に基づいて、内部スピーカ２０５から音声を出力するか否かを決めている。
【０１１４】
映像音声視聴システムＶＡ３による、オーディオアンプ１００Ｂの制御部１０６Ｂから送信されたＣＥＣ信号に基づく内部スピーカ２０５の制御は、映像音声視聴システムＶＡ２におけるのと同様であるので説明を省略する。
【０１１５】
以下に、図６と図７を参照して、オーディオアンプ１００Ｂとの通信状態に基づく映像音声視聴システムＶＡ３による内部スピーカ２０５の制御について説明する。
ここで、オーディオアンプ１００Ｂとの通信状態を監視するとは、通信手段であるＨＤＭＩケーブル９００を介してオーディオアンプ１００Ｂの制御部１０６Ｂとの間で通信が可能か否かを監視することをいう。通信が不能となる具体的なケースとして、以下の場合が挙げられる。ＨＤＭＩケーブル９００が何らかの理由でＴＶ２００Ｂまたはオーディオアンプ１００Ｂから外れた場合、オーディオアンプ１００Ｂの電源コードのプラグがコンセントから外れて制御部１０６Ｂへ電力が供給されなくなった場合、電池駆動のオーディオアンプ１００Ｂにおいて電池の容量が少なくなり、電圧が大幅に低下した場合などである。
【０１１６】
図７のフローチャートは、ＨＤＭＩケーブル９００のＣＥＣライン９０１を利用して通信状態の監視を行う制御部２０６Ｂの動作を示す。以下、図６および図７を参照して通信状態の監視に関連した処理について説明する。
ここでは、便宜上、始めに、実施の形態１または２で説明したのと同様の方法によってオーディオアンプ１００Ｂが「電源オン状態」となっており、マルチチャンネルスピーカ１０５から音声が出力されているとする。この状態では、ＴＶ２００Ｂは、オーディオアンプ１００Ｂから送信された消音コマンドを受け、内部スピーカ２０５から音声が出力されない状態となっている。
【０１１７】
ＴＶ２００Ｂは、「電源オン状態」であり、制御部２０６Ｂは、ＣＥＣライン９０１を介したオーディオアンプ１００Ｂの制御部１０６Ｂとの間の通信状態を常時監視している。ステップＳ７０１において、制御部２０６Ｂは、ＴＶ２００Ｂとオーディオアンプ１００Ｂとの間に接続されたＨＤＭＩケーブル９００の接続状態を判断する。ＨＤＭＩケーブル９００が正常に接続されているか否かによって電圧等が変化するため、判断は、その変化を検出することにより行うことができる。ステップＳ７０１において、ＨＤＭＩケーブル９００が正常に接続されていないと判断した場合、例えばＨＤＭＩケーブル９００が抜かれた場合には、ステップＳ７０７に進む。
【０１１８】
ステップＳ７０１でＨＤＭＩケーブルが接続された状態にあると判断されれば、ステップＳ７０２に進む。ステップＳ７０２において、制御部２０６Ｂは、操作手段からの指示等によってコマンドをオーディオアンプ１００Ｂに送信する必要があるかどうかを判断し、必要があればステップＳ７０３に進み、必要がなければ通常動作に進む。
【０１１９】
制御部２０６Ｂは、ステップＳ７０３において、ＣＥＣラインを介してコマンドの送信を行う。制御部２０６Ｂは、オーディオアンプ１００Ｂの制御部１０６Ｂに向け、例えば、電源１１５のオン・オフの状態の報告を要求するコマンドを送信する。制御部２０６Ｂは、ステップＳ７０４において、制御部１０６Ｂから上記コマンドに対する返信があるか否かを判断する。返信があった場合、制御部２０６Ｂは、ステップＳ７０５において、制御部１０６Ｂとの間の通信が可能な状態にあると判断し、通常動作に進む。
【０１２０】
一方、ステップＳ７０４において返信がない場合はステップＳ７０６に進む。ステップＳ７０６において、一定時間経過してもコマンドの返信がない場合、制御部２０６Ｂは、ステップＳ７０７において、制御部１０６Ｂとの間の通信ができない状態にあると判断する。この場合、制御部１０６Ｂによるオーディオアンプ１００Ｂ各部の制御が適切に行われず、マルチチャンネルスピーカ１０５から音声を出力できなくなる。このため、制御部２０６Ｂは、ステップＳ７０８において、音声制御部２０４に指示して、上述のステップＳ４０４において消音された内部スピーカ２０５を消音解除する。
【０１２１】
なお、本実施の形態では内部スピーカ２０５の消音は、上述の映像音声視聴システムＶＡ２におけるのと同様に、制御部１０６Ｂから制御部２０６ＢへのＣＥＣ信号の送信に基づいて音量制御部２０４の制御を行うことにより実行されている。しかしながら、内部スピーカ２０５は他の任意な方法で消音されている場合にも、本実施の形態における内部スピーカ２０５の消音解除が有効であることはいうまでもない。
【０１２２】
以上説明したように、本実施の形態において、ＴＶ２００Ｂの制御部２０６Ｂは、オーディオアンプ１００Ｂの制御部１０６Ｂとの間の通信状態を常に監視している。制御部２０６Ｂは、何らかの理由で通信ができない状態になった場合、内部スピーカ２０５から音声を出力するように音量制御部２０４の制御を行う。結果、マルチチャンネルスピーカ１０５および内部スピーカ２０５のいずれのスピーカからも音声が出力されない状態が発生するのを回避できる。
【０１２３】
また本実施の形態では、通信状態の監視を、ＣＥＣライン９０１の電圧等を検出する方法と、返信のコマンドの有無で判断する方法の２つの方法で行っているため、異なる原因によって通信ができない状態が発生しても、その状態を確実に判定できる。
【０１２４】
なお、本実施の形態では、図６に示すＨＤＭＩケーブル９００のＣＥＣライン９０１を利用して通信状態の監視を行う例について説明したが、これに限定されるものではない。例えば、実施の形態１におけるＴＶ２００Ａの制御部２０６Ａとオーディオアンプ１００Ａの制御部１０６Ａとの間で伝送される制御信号を検出することによって通信不能状態を判定することもできる。また、機器間の接続状態が絶たれたことを何らかの状態変化で検出することにより、通信不能状態を判定することも可能である。
【産業上の利用可能性】
【０１２５】
本発明によれば、ユーザに要求される個々のスピーカの操作性を改善した映像音声視聴システムを提供できるため、ＴＶとオーディオアンプを備えてその連携動作が必要な、家庭で使用するホームシアターシステムとして広く利用可能である。
【図面の簡単な説明】
【０１２６】
【図１】図１は、本発明の実施の形態１に係る映像音声視聴システムの構成を示すブロック図である。
【図２】図２は、図１に示した実施の形態１に係る映像音声視聴システムにおいて、テレビ放送の音声が再生される場合の内部スピーカの制御方法の説明図である。
【図３】図３は、図２で説明される映像音声視聴システムによる内部スピーカの制御方法におけるオーディオアンプ側の動作を示すフローチャートである。
【図４】図４は、図２で説明される映像音声視聴システムによる内部スピーカの制御方法におけるＴＶ側の動作を示すフローチャートである。
【図５】図５は、図１に示した実施の形態１に係る映像音声視聴システムにおいてＤＶＤが再生される場合の内部スピーカの制御方法の説明図である。
【図６】図６は、本発明の実施の形態２に係る映像音声視聴システムの構成を示すブロック図である。
【図７】図７は、本発明の実施の形態３に係る映像音声視聴システムによる内部スピーカの制御動作を示すフローチャートである。
【手続補正３】
【補正対象書類名】図面
【補正対象項目名】全図
【補正方法】変更
【補正の内容】
【図１】
2007052625.tif 000010
【図２】
2007052625.tif 000011
【図３】
2007052625.tif 000012
【図４】
2007052625.tif 000013
【図５】
2007052625.tif 000014
【図６】
2007052625.tif 000015
【図７】
2007052625.tif 000016
【国際調査報告】
2007052625.tif 000017
2007052625.tif 000018
2007052625.tif 000019
2007052625.tif 000020